(57)【要約】　　　（修正有）【課題】プログラム情報に対応する管理情報を利用してより効果的に補うことが可能な情報再生記録システム、情報再生記録方法および情報再生記録処理プログラムを提供する。【解決手段】第１記録媒体１０の再生を行う再生装置１と、第２記録媒体１１への記録または再生を行う記録再生装置７と、前記再生装置および前記記録再生装置を制御する制御装置８とを備えた情報再生記録システムにおいて、前記制御装置８は第１管理情報取得手段と、第２管理情報取得手段と、前記第１管理情報と前記第２管理情報とを比較し、その比較結果に基づいて前記第１管理情報に対応するプログラム情報が前記第２記録媒体１１に記録されているか否かを判断する情報記録判断手段と、前記記録条件を満足すると判断された場合に、前記第１記録媒体１０に記録された前記第１管理に対応するプログラム情報を前記第２記録媒体１１に記録させるべく制御する情報記録制御手段を備える。【選択図】　図１
2004014084.tif 000002
【特許請求の範囲】
【請求項１】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
前記第２記録媒体に記録されたプログラム情報に対応する第２管理情報を取得する第２管理情報取得手段と、
前記第１管理情報と前記第２管理情報とを比較し、その比較結果に基づいて、前記第１管理情報に対応するプログラム情報が前記第２記録媒体に記録されているか否かを判断する情報記録判断手段と、
前記第１管理情報に対応するプログラム情報が前記第２記録媒体に記録されていると判断された場合には、所定の記録条件を満足するか否かを判断し、前記記録条件を満足すると判断された場合には、前記第１記録媒体に記録された前記第１管理情報に対応するプログラム情報を前記第２記録媒体に記録させるべく前記再生装置および前記記録再生装置を制御する情報記録制御手段と、を備えることを特徴とする情報再生記録システム。
【請求項２】
請求項１に記載の情報再生記録システムにおいて、
前記情報記録制御手段は、前記第１記録媒体に記録された前記第１管理情報に対応するプログラム情報を前記第２記録媒体に記録させるか否かの選択をユーザに促し、その選択結果に基づいて、前記記録条件を満足するか否かを判断することを特徴とする情報再生記録システム。
【請求項３】
請求項２に記載の情報再生記録システムにおいて、
前記情報記録制御手段は、前記第１記録媒体に記録された前記第１管理情報に対応するプログラム情報と、前記第２記録媒体に記録された前記第２管理情報に対応するプログラム情報とを交互に再生させるべく前記再生装置および前記記録再生装置を制御することによって、前記第１記録媒体に記録された前記第１管理情報に対応するプログラム情報を前記第２記録媒体に記録させるか否かの選択をユーザに促すことを特徴とする情報再生記録システム。
【請求項４】
請求項１に記載の情報再生記録システムにおいて、
前記情報記録制御手段は、前記第１記録媒体に記録された前記第１管理情報に対応するプログラム情報と、前記第２記録媒体に記録された前記第２管理情報に対応するプログラム情報とを再生させるべく前記再生装置および前記記録再生装置を制御し、前記第１管理情報に対応するプログラム情報と、前記第２管理情報に対応するプログラム情報とのデータ比較を行い、その比較結果に基づいて、前記記録条件を満足するか否かを判断することを特徴とする情報再生記録システム。
【請求項５】
請求項１乃至４の何れか一項に記載の情報再生記録システムにおいて、
前記制御装置は、前記第１記録媒体に記録されたプログラム情報の数を計数する情報計数手段をさらに備え、
前記情報記録制御手段は、前記計数されたプログラム情報の数が１以上所定数以下の場合にのみ、前記所定の記録条件を満足するか否かを判断し、前記記録条件を満足すると判断された場合には、前記第１記録媒体に記録された前記第１管理情報に対応するプログラム情報を前記第２記録媒体に記録させるべく前記再生装置および前記記録再生装置を制御することを特徴とする情報再生記録システム。
【請求項６】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
前記第２記録媒体に記録されたプログラム情報に対応する第２管理情報を取得する第２管理情報取得手段と、
前記第１管理情報と前記第２管理情報とを比較し、その比較結果に基づいて、前記第１管理情報に対応するプログラム情報が前記第２記録媒体に記録されているか否かを判断する情報記録判断手段と、
前記第１管理情報に対応するプログラム情報が前記第２記録媒体に記録されていると判断された場合には、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御する情報記録制御手段と、を備えることを特徴とする情報再生記録システム。
【請求項７】
請求項６に記載の情報再生記録システムにおいて、
前記情報記録制御手段は、前記第２記録媒体に記録された前記プログラム情報を消去するか否かの選択をユーザに促し、その選択結果に基づいて、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御することを特徴とする情報再生記録システム。
【請求項８】
請求項７に記載の情報再生記録システムにおいて、
前記情報記録制御手段は、前記第１記録媒体に記録された前記第１管理情報に対応するプログラム情報と、前記第２記録媒体に記録された前記第２管理情報に対応するプログラム情報とを交互に再生させるべく前記再生装置および前記記録再生装置を制御することによって、前記前記第２記録媒体に記録された前記プログラム情報を消去するか否かの選択をユーザに促すことを特徴とする情報再生記録システム。
【請求項９】
請求項７または８に記載の情報再生記録システムにおいて、前記制御装置は、前記第１記録媒体に記録されたプログラム情報の数を計数する情報計数手段をさらに備え、
前記情報記録制御手段は、前記計数されたプログラム情報の数が１以上所定数以下の場合にのみ、前記第２記録媒体に記録された前記プログラム情報を消去するか否かの選択をユーザに促すことを特徴とする情報再生記録システム。
【請求項１０】
請求項６に記載の情報再生記録システムにおいて、
前記情報記録制御手段は、前記第１記録媒体に記録された前記第１管理情報に対応するプログラム情報と、前記第２記録媒体に記録された前記第２管理情報に対応するプログラム情報とを再生させるべく前記再生装置および前記記録再生装置を制御し、前記第１管理情報に対応するプログラム情報と、前記第２管理情報に対応するプログラム情報とのデータ比較を行い、その比較結果に基づいて、前記前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御することを特徴とする情報再生記録システム。
【請求項１１】
請求項１０に記載の情報再生記録システムにおいて、
前記制御装置は、前記第１記録媒体に記録されたプログラム情報の数を計数する情報計数手段をさらに備え、
前記情報記録制御手段は、前記計数されたプログラム情報の数が１以上所定数以下の場合にのみ、前記第１管理情報に対応するプログラム情報と、前記第２管理情報に対応するプログラム情報とのデータ比較を行うことを特徴とする情報再生記録システム。
【請求項１２】
請求項６乃至１１の何れか一項に記載の情報再生記録システムにおいて、
前記情報記録制御手段は、前記第２記録媒体に記録された前記プログラム情報を、前記第１記録媒体に記録された前記第１管理情報に対応するプログラム情報に置き換えるように制御することを特徴とする情報再生記録システム。
【請求項１３】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
複数のプログラム情報毎に、当該プログラム情報に対応する管理情報と当該プログラム情報に対応する識別情報とが関連付けられて登録された情報データベースを参照し、前記取得された前記第１管理情報に関連付けられたプログラム情報に対応する識別情報を取得する識別情報取得手段と、
前記第１記録媒体に記録されたプログラム情報の数を計数する情報計数手段と、
前記識別情報が複数取得され、かつ、前記計数されたプログラム情報の数が１以上所定数以下の場合には、前記取得された複数の前記識別情報のうちから１つの識別情報の選択をユーザに促し、当該ユーザにより選択された１つの識別情報を決定する第１識別情報決定手段と、
前記プログラム情報を前記第１記録媒体から前記第２記録媒体に記録すべく前記再生装置および前記記録再生装置を制御する際に、前記第１識別情報決定手段により決定された１つの識別情報を、前記第２記録媒体に記録されるべき当該プログラム情報に対応付けて記憶する識別情報記憶手段と、を備えることを特徴とする情報再生記録システム。
【請求項１４】
請求項１３に記載の情報再生記録システムにおいて、
前記識別情報が複数取得され、かつ、前記計数されたプログラム情報の数が前記所定数より大きい場合には、前記取得された複数の前記識別情報のうちから最も確率の高い１つの識別情報を決定する第２識別情報決定手段をさらに備え、
前記識別情報記憶手段は、前記第１識別情報決定手段または第２識別情報決定手段により決定された１つの識別情報を、前記第２記録媒体に記録されるべき当該プログラム情報に対応付けて記憶することを特徴とする情報再生記録システム。
【請求項１５】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
前記プログラム情報に対応するテキスト情報を前記第１記録媒体から取得可能か否かを判断し、取得可能である場合には、当該テキスト情報を取得するテキスト情報取得手段と、
複数のプログラム情報毎に、当該プログラム情報に対応する管理情報と当該プログラム情報に対応する識別情報とが関連付けられて登録された識別情報データベースを参照し、前記取得された前記第１管理情報に関連付けられたプログラム情報に対応する識別情報を取得する識別情報取得手段と、
前記識別情報が複数取得され、かつ、前記テキスト情報が取得された場合には、前記取得された前記識別情報のうち何れか１つの識別情報が前記取得された前記テキスト情報に含まれているか否かを判断する識別情報有無判断手段と、
前記何れか１つの識別情報が前記取得された前記テキスト情報に含まれている場合には、当該１つの識別情報を決定する第３識別情報決定手段と、
前記プログラム情報を前記第１記録媒体から前記第２記録媒体に記録すべく前記再生装置および前記記録再生装置を制御する際に、前記第３識別情報決定手段により決定された１つの識別情報を、前記第２記録媒体に記録されるべき当該プログラム情報に対応付けて記憶する識別情報記憶手段と、を備えることを特徴とする情報再生記録システム。
【請求項１６】
請求項１５に記載の情報再生記録システムにおいて、
前記何れか１つの識別情報が前記取得された前記テキスト情報に含まれていない場合、または、前記テキスト情報が取得可能でない場合には、前記取得された複数の前記識別情報のうちから１つの識別情報の選択をユーザに促し、当該ユーザにより選択された１つの識別情報を決定する第４識別情報決定手段をさらに備え、
前記識別情報記憶手段は、前記第３識別情報決定手段または第４識別情報決定手段により決定された１つの識別情報を、前記第２記録媒体に記録されるべき当該プログラム情報に対応付けて記憶することを特徴とする情報再生記録システム。
【請求項１７】
請求項１５に記載の情報再生記録システムにおいて、
前記制御装置は、前記第１記録媒体に記録されたプログラム情報の数を計数する情報計数手段をさらに備え、
前記識別情報有無判断手段は、前記計数されたプログラム情報の数が１以上所定数以下の場合にのみ、前記取得された前記識別情報のうち何れか１つの識別情報が前記取得された前記テキスト情報に含まれているか否かを判断することを特徴とする情報再生記録システム。
【請求項１８】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、
前記制御装置は、
前記第１記録媒体に記録されたプログラム情報に対応する第１管理情報を取得する第１管理情報取得手段と、
複数のプログラム情報毎に、当該プログラム情報に対応する管理情報と当該プログラム情報に対応する識別情報とが関連付けられて登録された識別情報データベースを参照し、前記取得された前記管理情報に関連付けられたプログラム情報に対応する識別情報を取得する識別情報取得手段と、
前記識別情報が複数取得された場合には、ユーザにより予め入力されたプログラム情報に対応する識別情報が登録されたユーザ入力情報データベースを参照し、前記取得された前記識別情報のうち何れか１つの識別情報が前記ユーザ入力情報データベースに登録されているか否かを判断するユーザ登録判断手段と、
前記何れか１つの識別情報が前記ユーザ入力情報データベースに登録されている場合には、当該１つの識別情報を決定する第５識別情報決定手段と、
前記プログラム情報を前記第１記録媒体から前記第２記録媒体に記録すべく前記再生装置および前記記録再生装置を制御する際に、前記第５識別情報決定手段により決定された１つの識別情報を、前記第２記録媒体に記録されるべき当該プログラム情報に対応付けて記憶する識別情報記憶手段と、を備えることを特徴とする情報再生記録システム。
【請求項１９】
請求項１８に記載の情報再生記録システムにおいて、
前記何れか１つの識別情報が前記ユーザ入力情報データベースに登録されていない場合には、前記取得された複数の前記識別情報のうちから１つの識別情報の選択をユーザに促し、当該ユーザにより選択された１つの識別情報を決定する第６識別情報決定手段をさらに備え、
前記識別情報記憶手段は、前記第５識別情報決定手段または前記第６識別情報決定手段により決定された１つの識別情報を、前記第２記録媒体に記録されるべき当該プログラム情報に対応付けて記憶することを特徴とする情報再生記録システム。
【請求項２０】
請求項１８に記載の情報再生記録システムにおいて、
前記制御装置は、前記第１記録媒体に記録されたプログラム情報の数を計数する情報計数手段をさらに備え、
前記ユーザ登録判断手段は、前記計数されたプログラム情報の数が１以上所定数以下の場合にのみ、前記取得された前記識別情報のうち何れか１つの識別情報が前記ユーザ入力情報データベースに登録されているか否かを判断することを特徴とする情報再生記録システム。
【請求項２１】
第１記録媒体に記録されたプログラム情報に対応する第１管理情報を取得する第１管理情報取得工程と、
第２記録媒体に記録されたプログラム情報に対応する第２管理情報を取得する第２管理情報取得工程と、
前記第１管理情報と前記第２管理情報とを比較し、その比較結果に基づいて、前記第１管理情報に対応するプログラム情報が前記第２記録媒体に記録されているか否かを判断する情報記録判断工程と、
前記第１管理情報に対応するプログラム情報が前記第２記録媒体に記録されていると判断された場合には、所定の記録条件を満足するか否かを判断し、前記記録条件を満足すると判断された場合には、前記第１記録媒体に記録された前記第１管理情報に対応するプログラム情報を前記第２記録媒体に記録する情報記録制御工程と、を備えることを特徴とする情報再生記録方法。
【請求項２２】
請求項２１に記載の情報再生記録方法において、
前記情報記録制御工程は、前記第１記録媒体に記録された前記第１管理情報に対応するプログラム情報を前記第２記録媒体に記録させるか否かの選択をユーザに促し、その選択結果に基づいて、前記記録条件を満足するか否かを判断することを特徴とする情報再生記録方法。
【請求項２３】
第１記録媒体に記録されたプログラム情報に対応する第１管理情報を取得する第１管理情報取得工程と、
第２記録媒体に記録されたプログラム情報に対応する第２管理情報を取得する第２管理情報取得工程と、
前記第１管理情報と前記第２管理情報とを比較し、その比較結果に基づいて、前記第１管理情報に対応するプログラム情報が前記第２記録媒体に記録されているか否かを判断する情報記録判断工程と、
前記第１管理情報に対応するプログラム情報が前記第２記録媒体に記録されていると判断された場合には、前記第２記録媒体に記録された当該プログラム情報を消去し、前記第１記録媒体に記録された前記第１管理情報に対応するプログラム情報を前記第２記録媒体に記録する情報記録制御工程と、を備えることを特徴とする情報再生記録方法。
【請求項２４】
請求項２３に記載の情報再生記録方法において、
前記情報記録制御工程は、前記第２記録媒体に記録された前記プログラム情報を消去するか否かの選択をユーザに促し、その選択結果に基づいて、前記前記第２記録媒体に記録された当該プログラム情報を消去し、前記第１記録媒体に記録された前記第１管理情報に対応するプログラム情報を前記第２記録媒体に記録する情報再生記録方法。
【請求項２５】
第１記録媒体に記録されたプログラム情報に対応する第１管理情報を取得する第１管理情報取得工程と、
複数のプログラム情報毎に、当該プログラム情報に対応する管理情報と当該プログラム情報に対応する識別情報とが関連付けられて登録された情報データベースを参照し、前記取得された前記第１管理情報に関連付けられたプログラム情報に対応する識別情報を取得する識別情報取得工程と、
前記第１記録媒体に記録されたプログラム情報の数を計数する情報計数工程と、
前記識別情報が複数取得され、かつ、前記計数されたプログラム情報の数が１以上所定数以下の場合には、前記取得された複数の前記識別情報のうちから１つの識別情報の選択をユーザに促し、当該ユーザにより選択された１つの識別情報を決定する第１識別情報決定工程と、
前記プログラム情報が前記第１記録媒体から前記第２記録媒体に記録される際に、前記第１識別情報決定工程により決定された１つの識別情報を、前記第２記録媒体に記録されるべき当該プログラム情報に対応付けて記憶する識別情報記憶工程と、を備えることを特徴とする情報再生記録方法。
【請求項２６】
請求項２５に記載の情報再生記録方法において、
前記識別情報が複数取得され、かつ、前記計数されたプログラム情報の数が前記所定数より大きい場合には、前記取得された複数の前記識別情報のうちから最も確率の高い１つの識別情報を決定する第２識別情報決定工程をさらに備え、
前記識別情報記憶工程は、前記第１識別情報決定工程または第２識別情報決定工程により決定された１つの識別情報を、前記第２記録媒体に記録されるべき当該プログラム情報に対応付けて記憶することを特徴とする情報再生記録方法。
【請求項２７】
第１記録媒体に記録されたプログラム情報に対応する第１管理情報を取得する第１管理情報取得工程と、
前記プログラム情報に対応するテキスト情報を前記第１記録媒体から取得可能か否かを判断し、取得可能である場合には、当該テキスト情報を取得するテキスト情報取得工程と、
複数のプログラム情報毎に、当該プログラム情報に対応する管理情報と当該プログラム情報に対応する識別情報とが関連付けられて登録された識別情報データベースを参照し、前記取得された前記第１管理情報に関連付けられたプログラム情報に対応する識別情報を取得する識別情報取得工程と、
前記識別情報が複数取得され、かつ、前記テキスト情報が取得された場合には、前記取得された前記識別情報のうち何れか１つの識別情報が前記取得された前記テキスト情報に含まれているか否かを判断する識別情報有無判断工程と、
前記何れか１つの識別情報が前記取得された前記テキスト情報に含まれている場合には、当該１つの識別情報を決定する第３識別情報決定工程と、
前記プログラム情報が前記第１記録媒体から前記第２記録媒体に記録される際に、前記第３識別情報決定工程により決定された１つの識別情報を、前記第２記録媒体に記録されるべき当該プログラム情報に対応付けて記憶する識別情報記憶工程と、を備えることを特徴とする情報再生記録方法。
【請求項２８】
請求項２７に記載の情報再生記録方法において、
前記何れか１つの識別情報が前記取得された前記テキスト情報に含まれていない場合、または、前記テキスト情報が取得可能でない場合には、前記取得された複数の前記識別情報のうちから１つの識別情報の選択をユーザに促し、当該ユーザにより選択された１つの識別情報を決定する第４識別情報決定工程をさらに備え、
前記識別情報記憶工程は、前記第３識別情報決定工程または第４識別情報決定工程により決定された１つの識別情報を、前記第２記録媒体に記録されるべき当該プログラム情報に対応付けて記憶することを特徴とする情報再生記録方法。
【請求項２９】
第１記録媒体に記録されたプログラム情報に対応する第１管理情報を取得する第１管理情報取得工程と、
複数のプログラム情報毎に、当該プログラム情報に対応する管理情報と当該プログラム情報に対応する識別情報とが関連付けられて登録された識別情報データベースを参照し、前記取得された前記管理情報に関連付けられたプログラム情報に対応する識別情報を取得する識別情報取得工程と、
前記識別情報が複数取得された場合には、ユーザにより予め入力されたプログラム情報に対応する識別情報が登録されたユーザ入力情報データベースを参照し、前記取得された前記識別情報のうち何れか１つの識別情報が前記ユーザ入力情報データベースに登録されているか否かを判断するユーザ登録判断工程と、
前記何れか１つの識別情報が前記ユーザ入力情報データベースに登録されている場合には、当該１つの識別情報を決定する第５識別情報決定工程と、
前記プログラム情報が前記第１記録媒体から前記第２記録媒体に記録される際に、前記第５識別情報決定工程により決定された１つの識別情報を、前記第２記録媒体に記録されるべき当該プログラム情報に対応付けて記憶する識別情報記憶工程と、を備えることを特徴とする情報再生記録方法。
【請求項３０】
請求項２９に記載の情報再生記録方法において、
前記何れか１つの識別情報が前記ユーザ入力情報データベースに登録されていない場合には、前記取得された複数の前記識別情報のうちから１つの識別情報の選択をユーザに促し、当該ユーザにより選択された１つの識別情報を決定する第６識別情報決定工程をさらに備え、
前記識別情報記憶工程は、前記第５識別情報決定工程または第６識別情報決定工程により決定された１つの識別情報を、前記第２記録媒体に記録されるべき当該プログラム情報に対応付けて記憶することを特徴とする情報再生記録方法。
【請求項３１】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、
前記第１記録媒体に記録されたプログラム情報に対応する第１管理情報を取得する第１管理情報取得手段、
前記第２記録媒体に記録されたプログラム情報に対応する第２管理情報を取得する第２管理情報取得手段、
前記第１管理情報と前記第２管理情報とを比較し、その比較結果に基づいて、前記第１管理情報に対応するプログラム情報が前記第２記録媒体に記録されているか否かを判断する情報記録判断手段、
前記第１管理情報に対応するプログラム情報が前記第２記録媒体に記録されていると判断された場合には、所定の記録条件を満足するか否かを判断し、前記記録条件を満足すると判断された場合には、前記第１記録媒体に記録された前記第１管理情報に対応するプログラム情報を前記第２記録媒体に記録させるべく前記再生装置および前記記録再生装置を制御する情報記録制御手段、として機能させることを特徴とする情報再生記録処理プログラム。
【請求項３２】
請求項３１に記載の情報再生記録処理プログラムにおいて、
前記情報記録制御手段は、前記第１記録媒体に記録された前記第１管理情報に対応するプログラム情報を前記第２記録媒体に記録させるか否かの選択をユーザに促し、その選択結果に基づいて、前記記録条件を満足するか否か判断することを特徴とする情報再生記録処理プログラム。
【請求項３３】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、
前記第１記録媒体に記録されたプログラム情報に対応する第１管理情報を取得する第１管理情報取得手段、
前記第２記録媒体に記録されたプログラム情報に対応する第２管理情報を取得する第２管理情報取得手段、
前記第１管理情報と前記第２管理情報とを比較し、その比較結果に基づいて、前記第１管理情報に対応するプログラム情報が前記第２記録媒体に記録されているか否かを判断する情報記録判断手段、
前記第１管理情報に対応するプログラム情報が前記第２記録媒体に記録されていると判断された場合には、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御する情報記録制御手段、として機能させることを特徴とする情報再生記録処理プログラム。
【請求項３４】
請求項３３に記載の情報再生記録処理プログラムにおいて、
前記情報記録制御手段は、前記第２記録媒体に記録された前記プログラム情報を消去するか否かの選択をユーザに促し、その選択結果に基づいて、前記前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御することを特徴とする情報再生記録処理プログラム。
【請求項３５】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、
前記第１記録媒体に記録されたプログラム情報に対応する第１管理情報を取得する第１管理情報取得手段、
複数のプログラム情報毎に、当該プログラム情報に対応する管理情報と当該プログラム情報に対応する識別情報とが関連付けられて登録された情報データベースを参照し、前記取得された前記第１管理情報に関連付けられたプログラム情報に対応する識別情報を取得する識別情報取得手段、
前記第１記録媒体に記録されたプログラム情報の数を計数する情報計数手段、前記識別情報が複数取得され、かつ、前記計数されたプログラム情報の数が１以上所定数以下の場合には、前記取得された複数の前記識別情報のうちから１つの識別情報の選択をユーザに促し、当該ユーザにより選択された１つの識別情報を決定する第１識別情報決定手段、
前記プログラム情報を前記第１記録媒体から前記第２記録媒体に記録すべく前記再生装置および前記記録再生装置を制御する際に、前記第１識別情報決定手段により決定された１つの識別情報を、前記第２記録媒体に記録されるべき当該プログラム情報に対応付けて記憶する識別情報記憶手段、として機能させることを特徴とする情報再生記録処理プログラム。
【請求項３６】
請求項３５に記載の情報再生記録処理プログラムにおいて、
前記コンピュータを、前記識別情報が複数取得され、かつ、前記計数されたプログラム情報の数が前記所定数より大きい場合には、前記取得された複数の前記識別情報のうちから最も確率の高い１つの識別情報を決定する第２識別情報決定手段としてさらに機能させ、
前記識別情報記憶手段は、前記第１識別情報決定手段または第２識別情報決定手段により決定された１つの識別情報を、前記第２記録媒体に記録されるべき当該プログラム情報に対応付けて記憶することを特徴とする情報再生記録処理プログラム。
【請求項３７】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、
前記第１記録媒体に記録されたプログラム情報に対応する第１管理情報を取得する第１管理情報取得手段、
前記プログラム情報に対応するテキスト情報を前記第１記録媒体から取得可能か否かを判断し、取得可能である場合には、当該テキスト情報を取得するテキスト情報取得手段、
複数のプログラム情報毎に、当該プログラム情報に対応する管理情報と当該プログラム情報に対応する識別情報とが関連付けられて登録された識別情報データベースを参照し、前記取得された前記第１管理情報に関連付けられたプログラム情報に対応する識別情報を取得する識別情報取得手段、
前記識別情報が複数取得され、かつ、前記テキスト情報が取得された場合には、前記取得された前記識別情報のうち何れか１つの識別情報が前記取得された前記テキスト情報に含まれているか否かを判断する識別情報有無判断手段、
前記何れか１つの識別情報が前記取得された前記テキスト情報に含まれている場合には、当該１つの識別情報を決定する第３識別情報決定手段、
前記プログラム情報を前記第１記録媒体から前記第２記録媒体に記録すべく前記再生装置および前記記録再生装置を制御する際に、前記第３識別情報決定手段により決定された１つの識別情報を、前記第２記録媒体に記録されるべき当該プログラム情報に対応付けて記憶する識別情報記憶手段、として機能させることを特徴とする情報再生記録処理プログラム。
【請求項３８】
請求項３７に記載の情報再生記録処理プログラムにおいて、
前記コンピュータを、前記何れか１つの識別情報が前記取得された前記テキスト情報に含まれていない場合、または、前記テキスト情報が取得可能でない場合には、前記取得された複数の前記識別情報のうちから１つの識別情報の選択をユーザに促し、当該ユーザにより選択された１つの識別情報を決定する第４識別情報決定手段としてさらに機能させ、
前記識別情報記憶手段は、前記第３識別情報決定手段または第４識別情報決定手段により決定された１つの識別情報を、前記第２記録媒体に記録されるべき当該プログラム情報に対応付けて記憶することを特徴とする情報再生記録処理プログラム。
【請求項３９】
第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、
前記第１記録媒体に記録されたプログラム情報に対応する第１管理情報を取得する第１管理情報取得手段、
複数のプログラム情報毎に、当該プログラム情報に対応する管理情報と当該プログラム情報に対応する識別情報とが関連付けられて登録された識別情報データベースを参照し、前記取得された前記管理情報に関連付けられたプログラム情報に対応する識別情報を取得する識別情報取得手段、
前記識別情報が複数取得された場合には、ユーザにより予め入力されたプログラム情報に対応する識別情報が登録されたユーザ入力情報データベースを参照し、前記取得された前記識別情報のうち何れか１つの識別情報が前記ユーザ入力情報データベースに登録されているか否かを判断するユーザ登録判断手段、
前記何れか１つの識別情報が前記ユーザ入力情報データベースに登録されている場合には、当該１つの識別情報を決定する第５識別情報決定手段、
前記プログラム情報を前記第１記録媒体から前記第２記録媒体に記録すべく前記再生装置および前記記録再生装置を制御する際に、前記第５識別情報決定手段により決定された１つの識別情報を、前記第２記録媒体に記録されるべき当該プログラム情報に対応付けて記憶する識別情報記憶手段、として機能させることを特徴とする情報再生記録処理プログラム。
【請求項４０】
請求項３９に記載の情報再生記録処理プログラムにおいて、
前記コンピュータを、前記何れか１つの識別情報が前記ユーザ入力情報データベースに登録されていない場合には、前記取得された複数の前記識別情報のうちから１つの識別情報の選択をユーザに促し、当該ユーザにより選択された１つの識別情報を決定する第６識別情報決定手段としてさらに機能させ、
前記識別情報記憶手段は、前記第５識別情報決定手段または第６識別情報決定手段により決定された１つの識別情報を、前記第２記録媒体に記録されるべき当該プログラム情報に対応付けて記憶することを特徴とする情報再生記録処理プログラム。
【発明の詳細な説明】
【０００１】
【発明の属する技術分野】
本発明は、情報再生記録システムおよび情報再生記録方法に関し、特に、記録媒体に記録された管理情報を利用して、種々の情報を検索するなどの処理を実行することが可能なシステムおよび方法の技術分野に関する。
【０００２】
【従来の技術】
光ディスクや磁気ディスクなどの記録媒体には、楽曲データなどのプログラム情報の他に、当該プログラム情報に対応する管理情報として、ＴＯＣ（Ｔａｂｌｅ　ＯｆＣｏｎｔｅｎｔｓ）情報が記録されている。このＴＯＣ情報には、例えば、プログラム情報毎の記録媒体上での開始位置と最終プログラム情報の終了位置の絶対時間が含まれている。また、プログラム情報の開始位置と次のプログラム情報の開始位置との差が演奏時間となる。
【０００３】
従来の情報再生記録システムおいては、このＴＯＣ情報を利用して、種々の情報を検索するなどの処理が行われていた。例えば、ＣＤ（コンパクトディスク）に記録されたプログラム情報を再生するＣＤ再生装置と、再生されたプログラム情報をＨＤＤ（ハードディスク）に記録し、再生するＨＤＤ記録再生装置と、ＣＤ再生装置およびＨＤＤ記録再生装置の動作を制御する制御装置などを備えた情報再生記録システムにおいて、制御装置は、ＣＤに記録されたプログラム情報と同じプログラム情報が既にＨＤＤに記録されているか否かを検索するに当たって、それぞれのディスクに記録されたプログラム情報に対応するＴＯＣ情報を比較することが行われていた。この比較結果、ＴＯＣ情報が一致する場合には、制御装置は、ＣＤに記録されたプログラム情報と同じプログラム情報が、既にＨＤＤに記録されているとみなし、ＣＤから再生されたプログラム情報をＨＤＤに記録しないように制御していた。
【０００４】
また、従来から、多数のプログラム情報に対応する識別情報（例えば、タイトル）と、これらのプログラム情報のそれぞれに対応するＴＯＣ情報とが関連付けられて登録された情報データベース（例えば、インターネット上のＷｅｂサーバに付設）が知られている。従来の情報再生記録システムにおいて、ＣＤに記録されたプログラム情報がＨＤＤに記録される際に、制御装置は、当該プログラム情報のＴＯＣ情報を取得した後、情報データベースを参照して当該ＴＯＣ情報に関連付けられた識別情報を検索、取得して、ＨＤＤに記録されるべきプログラム情報に対応付けて記録するように制御していた。
【０００５】
【発明が解決しようとする課題】
しかしながら、ＴＯＣ情報は、各プログラム情報の開始位置の絶対時間（演奏時間でもよい）の情報であるため、異なるプログラム情報であっても、同一のＴＯＣ情報となる場合がある。このため、実際には、ＣＤに記録されたプログラム情報がＨＤＤに記録されていない場合であっても、既にＨＤＤに記録されているとみなされ、ＨＤＤに記録されないことがあった。また、ＴＯＣ情報に基づいて上記識別情報を取得する場合にも、誤った識別情報がプログラム情報に付与されてしまうことがあった。特に、ＣＤに収録されたプログラム情報の数が少なければ、その傾向が顕著となる。
【０００６】
そこで、上記課題に鑑みてなされたものであり、プログラム情報に対応する管理情報を利用して種々の情報を検索する場合に、それをより効果的に補うことが可能な情報再生記録システム、情報再生記録方法および情報再生記録処理プログラムを提供することを目的する。
【０００７】
【課題を解決するための手段】
上記課題を解決するため、請求項１記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、前記制御装置は、前記第１記録媒体に記録されたプログラム情報に対応する第１管理情報を取得する第１管理情報取得手段と、前記第２記録媒体に記録されたプログラム情報に対応する第２管理情報を取得する第２管理情報取得手段と、前記第１管理情報と前記第２管理情報とを比較し、その比較結果に基づいて、前記第１管理情報に対応するプログラム情報が前記第２記録媒体に記録されているか否かを判断する情報記録判断手段と、前記第１管理情報に対応するプログラム情報が前記第２記録媒体に記録されていると判断された場合には、所定の記録条件を満足するか否かを判断し、前記記録条件を満足すると判断された場合には、前記第１記録媒体に記録された前記第１管理情報に対応するプログラム情報を前記第２記録媒体に記録させるべく前記再生装置および前記記録再生装置を制御する情報記録制御手段と、を備えるように構成する。
【０００８】
ここで、第１記録媒体には、ＣＤ、ＤＶＤ（Ｄｉｇｉｔａｌ　Ｖｅｒｓａｔｉｌｅ　Ｄｉｓｃ）、ＭＤ、ＭＯ、ＨＤＤ、カード型記録媒体などが含まれる。また、第２の記録媒体には、ＨＤＤ、ＣＤ−Ｒ、ＤＶＤ−Ｒ／Ｗ、ＭＤ、ＭＯ、カード型記録媒体などが含まれる。
【０００９】
請求項１に記載の発明によれば、第１管理情報と第２管理情報との比較結果、第１管理情報に対応するプログラム情報が第２記録媒体に記録されていると誤って判断された場合でも、所定の記録条件を満足するか否かを判断し、当該記録条件を満足すると判断された場合には、第１記録媒体に記録された第１管理情報に対応するプログラム情報が第２記録媒体に記録されるので、第１管理情報と第２管理情報との比較結果に基づく判断結果を効果的に補うことができ、より的確に第２記録媒体に記録されていないプログラム情報を、第１記録媒体から第２記録媒体に記録させることができる。
【００１０】
請求項２に記載の発明は、請求項１に記載の情報再生記録システムにおいて、前記情報記録制御手段は、前記第１記録媒体に記録された前記第１管理情報に対応するプログラム情報を前記第２記録媒体に記録させるか否かの選択をユーザに促し、その選択結果に基づいて、前記記録条件を満足するか否か判断するように構成する。
【００１１】
請求項２に記載の発明によれば、第１管理情報と第２管理情報との比較結果、第１管理情報に対応するプログラム情報が第２記録媒体に記録されていると誤って判断された場合でも、第１記録媒体に記録された第１管理情報に対応するプログラム情報を第２記録媒体に記録させるか否かの選択をユーザに促し、その選択結果に基づいて、第１記録媒体に記録された第１管理情報に対応するプログラム情報が第２記録媒体に記録されるので、第１管理情報と第２管理情報との比較結果に基づく判断結果を効果的に補うことができ、より的確に第２記録媒体に記録されていないプログラム情報を、第１記録媒体から第２記録媒体に記録させることができる。
【００１２】
請求項３に記載の発明は、請求項２に記載の情報再生記録システムにおいて、前記情報記録制御手段は、前記第１記録媒体に記録された前記第１管理情報に対応するプログラム情報と、前記第２記録媒体に記録された前記第２管理情報に対応するプログラム情報とを交互に再生させるべく前記再生装置および前記記録再生装置を制御することによって、前記第１記録媒体に記録された前記第１管理情報に対応するプログラム情報を前記第２記録媒体に記録させるか否かの選択をユーザに促すように構成する。
【００１３】
請求項３に記載の発明によれば、第１記録媒体に記録された第１管理情報に対応するプログラム情報と、第２記録媒体に記録された第２管理情報に対応するプログラム情報とが交互に再生されるので、ユーザは、交互に再生されたプログラム情報に基づき、実際に同じプログラム情報であるか否かを判断することができる。
【００１４】
請求項４に記載の発明は、請求項１に記載の情報再生記録システムにおいて、前記情報記録制御手段は、前記第１記録媒体に記録された前記第１管理情報に対応するプログラム情報と、前記第２記録媒体に記録された前記第２管理情報に対応するプログラム情報とを再生させるべく前記再生装置および前記記録再生装置を制御し、前記第１管理情報に対応するプログラム情報と、前記第２管理情報に対応するプログラム情報とのデータ比較を行い、その比較結果に基づいて、前記記録条件を満足するか否か判断するように構成する。
【００１５】
請求項４に記載の発明によれば、第１管理情報と第２管理情報との比較結果、第１管理情報に対応するプログラム情報が第２記録媒体に記録されていると誤って判断された場合でも、第１管理情報に対応するプログラム情報と、第２管理情報に対応するプログラム情報とのデータ比較を行い、その比較結果に基づいて、第１記録媒体に記録された第１管理情報に対応するプログラム情報が第２記録媒体に記録されるので、第１管理情報と第２管理情報との比較結果に基づく判断結果を効果的に補うことができ、より的確に第２記録媒体に記録されていないプログラム情報を、第１記録媒体から第２記録媒体に記録させることができる。
【００１６】
請求項５に記載の発明は、請求項１乃至４の何れか一項に記載の情報再生記録システムにおいて、前記制御装置は、前記第１記録媒体に記録されたプログラム情報の数を計数する情報計数手段をさらに備え、前記情報記録制御手段は、前記計数されたプログラム情報の数が１以上所定数以下の場合にのみ、前記所定の記録条件を満足するか否かを判断し、前記記録条件を満足すると判断された場合には、前記第１記録媒体に記録された前記第１管理情報に対応するプログラム情報を前記第２記録媒体に記録させるべく前記再生装置および前記記録再生装置を制御するように構成する。
【００１７】
請求項５に記載の発明によれば、第１記録媒体に記録されているプログラム情報の数が多いときよりも少ないときの方が、第１管理情報に対応するプログラム情報が第２記録媒体に記録されていると誤って判断される確率が高くなるため、プログラム情報の数が所定数以下と少ないときに限り、所定の記録条件を満足するか否かを判断するので、第１管理情報と第２管理情報との比較結果に基づく判断結果をより効率良く補うことができる。
【００１８】
請求項６に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、前記制御装置は、前記第１記録媒体に記録されたプログラム情報に対応する第１管理情報を取得する第１管理情報取得手段と、前記第２記録媒体に記録されたプログラム情報に対応する第２管理情報を取得する第２管理情報取得手段と、前記第１管理情報と前記第２管理情報とを比較し、その比較結果に基づいて、前記第１管理情報に対応するプログラム情報が前記第２記録媒体に記録されているか否かを判断する情報記録判断手段と、前記第１管理情報に対応するプログラム情報が前記第２記録媒体に記録されていると判断された場合には、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御する情報記録制御手段と、を備えるように構成する。
【００１９】
請求項６に記載の発明によれば、第１管理情報と第２管理情報との比較結果、第１管理情報に対応するプログラム情報が第２記録媒体に記録されている判断された場合には、第２記録媒体に記録された当該プログラム情報を消去し、第１記録媒体に記録された第１管理情報に対応するプログラム情報を第２記録媒体に記録させるので、先に第２記録媒体に記録したプログラム情報にノイズ混入や、振動による不都合があったため、プログラム情報の記録をやり直す場合でも、ユーザに手動でプログラム情報の消去させるなどの操作負担を与えることなく、先に記録されたプログラム情報を同一の新たなプログラム情報に置き換えることができる。
【００２０】
請求項７に記載の発明は、請求項６に記載の情報再生記録システムにおいて、前記情報記録制御手段は、前記第２記録媒体に記録された前記プログラム情報を消去するか否かの選択をユーザに促し、その選択結果に基づいて、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御するように構成する。
【００２１】
請求項７に記載の発明によれば、第１管理情報と第２管理情報との比較結果、第１管理情報に対応するプログラム情報が第２記録媒体に記録されていると誤って判断された場合でも、第１記録媒体に記録された第１管理情報に対応するプログラム情報を第２記録媒体に記録させるか否かの選択をユーザに促し、その選択結果に基づいて、第２記録媒体に記録された当該プログラム情報を消去し、第１記録媒体に記録された第１管理情報に対応するプログラム情報を第２記録媒体に記録させるので、第１管理情報と第２管理情報との比較結果に基づく判断結果を効果的に補うことができ、実際には異なるプログラム情報であったのに、それを誤って消去するという不都合を防止することができる。
【００２２】
請求項８に記載の発明は、請求項７に記載の情報再生記録システムにおいて、前記情報記録制御手段は、前記第１記録媒体に記録された前記第１管理情報に対応するプログラム情報と、前記第２記録媒体に記録された前記第２管理情報に対応するプログラム情報とを交互に再生させるべく前記再生装置および前記記録再生装置を制御することによって、前記前記第２記録媒体に記録された前記プログラム情報を消去するか否かの選択をユーザに促すように構成する。
【００２３】
請求項８に記載の発明によれば、第１記録媒体に記録された第１管理情報に対応するプログラム情報と、第２記録媒体に記録された第２管理情報に対応するプログラム情報とが交互に再生されるので、ユーザは、交互に再生されたプログラム情報に基づき、実際に同じプログラム情報であるか否かを判断することができる。
【００２４】
請求項９に記載の発明は、請求項７または８に記載の情報再生記録システムにおいて、前記制御装置は、前記第１記録媒体に記録されたプログラム情報の数を計数する情報計数手段をさらに備え、前記情報記録制御手段は、前記計数されたプログラム情報の数が１以上所定数以下の場合にのみ、前記第２記録媒体に記録された前記プログラム情報を消去するか否かの選択をユーザに促すように構成する。
【００２５】
請求項９に記載の発明によれば、第１記録媒体に記録されているプログラム情報の数が多いときよりも少ないときの方が、第１管理情報に対応するプログラム情報が第２記録媒体に記録されていると誤って判断される確率が高くなるため、プログラム情報の数が所定数以下と少ないときに限り、第２記録媒体に記録された前記プログラム情報を消去するか否かの選択をユーザに促すので、第１管理情報と第２管理情報との比較結果に基づく判断結果をより効率良く補うことができる。
【００２６】
請求項１０に記載の発明は、請求項６に記載の情報再生記録システムにおいて、前記情報記録制御手段は、前記第１記録媒体に記録された前記第１管理情報に対応するプログラム情報と、前記第２記録媒体に記録された前記第２管理情報に対応するプログラム情報とを再生させるべく前記再生装置および前記記録再生装置を制御し、前記第１管理情報に対応するプログラム情報と、前記第２管理情報に対応するプログラム情報とのデータ比較を行い、その比較結果に基づいて、前記前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御するように構成する。
【００２７】
請求項１０に記載の発明によれば、第１管理情報と第２管理情報との比較結果、第１管理情報に対応するプログラム情報が第２記録媒体に記録されていると誤って判断された場合でも、第１管理情報に対応するプログラム情報と、第２管理情報に対応するプログラム情報とのデータ比較を行い、その比較結果に基づいて、第２記録媒体に記録された当該プログラム情報を消去し、第１記録媒体に記録された第１管理情報に対応するプログラム情報を第２記録媒体に記録させるので、第１管理情報と第２管理情報との比較結果に基づく判断結果を効果的に補うことができ、実際には異なるプログラム情報であったのに、それを誤って消去するという不都合を防止することができる。
【００２８】
請求項１１に記載の発明は、請求項１０に記載の情報再生記録システムにおいて、前記制御装置は、前記第１記録媒体に記録されたプログラム情報の数を計数する情報計数手段をさらに備え、前記情報記録制御手段は、前記計数されたプログラム情報の数が１以上所定数以下の場合にのみ、前記第１管理情報に対応するプログラム情報と、前記第２管理情報に対応するプログラム情報とのデータ比較を行うように構成する。
【００２９】
請求項１１に記載の発明によれば、第１記録媒体に記録されているプログラム情報の数が多いときよりも少ないときの方が、第１管理情報に対応するプログラム情報が第２記録媒体に記録されていると誤って判断される確率が高くなるため、プログラム情報の数が所定数以下と少ないときに限り、第１管理情報に対応するプログラム情報と、第２管理情報に対応するプログラム情報とのデータ比較を行うので、第１管理情報と第２管理情報との比較結果に基づく判断結果をより効率良く補うことができる。
【００３０】
請求項１２に記載の発明は、請求項６乃至１１の何れか一項に記載の情報再生記録システムにおいて、前記情報記録制御手段は、前記第２記録媒体に記録された前記プログラム情報を、前記第１記録媒体に記録された前記第１管理情報に対応するプログラム情報に置き換えるように制御するように構成する。
【００３１】
請求項１３に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、前記制御装置は、前記第１記録媒体に記録されたプログラム情報に対応する第１管理情報を取得する第１管理情報取得手段と、複数のプログラム情報毎に、当該プログラム情報に対応する管理情報と当該プログラム情報に対応する識別情報とが関連付けられて登録された情報データベースを参照し、前記取得された前記第１管理情報に関連付けられたプログラム情報に対応する識別情報を取得する識別情報取得手段と、前記第１記録媒体に記録されたプログラム情報の数を計数する情報計数手段と、前記識別情報が複数取得され、かつ、前記計数されたプログラム情報の数が１以上所定数以下の場合には、前記取得された複数の前記識別情報のうちから１つの識別情報の選択をユーザに促し、当該ユーザにより選択された１つの識別情報を決定する第１識別情報決定手段と、前記プログラム情報を前記第１記録媒体から前記第２記録媒体に記録すべく前記再生装置および前記記録再生装置を制御する際に、前記第１識別情報決定手段により決定された１つの識別情報を、前記第２記録媒体に記録されるべき当該プログラム情報に対応付けて記憶する識別情報記憶手段と、を備えるように構成する。
【００３２】
請求項１３に記載の発明によれば、プログラム情報に識別情報（例えば、タイトル）が自動的に付与される（例えば、複数の識別情報のうちから最も確率の高い１つの識別情報を付与する）場合、第１記録媒体に記録されているプログラム情報の数が多いときよりも少ないときの方が、誤った識別情報がプログラム情報に付与される確率が高くなるため、プログラム情報の数が少ないときには、どの識別情報を付与するかの選択をユーザに委ねさせ、管理情報に基づく識別情報の検索を効果的に補うことができる。従って、誤った識別情報がプログラム情報に付与されることを防止することができる。また、識別情報が自動的に付与される利便性と、識別情報が正確に付与される正確性とを両立させることができる。
【００３３】
請求項１４に記載の発明は、請求項１３に記載の情報再生記録システムにおいて、前記識別情報が複数取得され、かつ、前記計数されたプログラム情報の数が前記所定数より大きい場合には、前記取得された複数の前記識別情報のうちから最も確率の高い１つの識別情報を決定する第２識別情報決定手段をさらに備え、前記識別情報記憶手段は、前記第１識別情報決定手段または第２識別情報決定手段により決定された１つの識別情報を、前記第２記録媒体に記録されるべき当該プログラム情報に対応付けて記憶するように構成する。
【００３４】
請求項１５に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、前記制御装置は、前記第１記録媒体に記録されたプログラム情報に対応する第１管理情報を取得する第１管理情報取得手段と、前記プログラム情報に対応するテキスト情報を前記第１記録媒体から取得可能か否かを判断し、取得可能である場合には、当該テキスト情報を取得するテキスト情報取得手段と、複数のプログラム情報毎に、当該プログラム情報に対応する管理情報と当該プログラム情報に対応する識別情報とが関連付けられて登録された識別情報データベースを参照し、前記取得された前記管理情報に関連付けられたプログラム情報に対応する識別情報を取得する識別情報取得手段と、前記識別情報が複数取得され、かつ、前記テキスト情報が取得された場合には、前記取得された前記識別情報のうち何れか１つの識別情報が前記取得された前記テキスト情報に含まれているか否かを判断する識別情報有無判断手段と、前記何れか１つの識別情報が前記取得された前記テキスト情報に含まれている場合には、当該１つの識別情報を決定する第３識別情報決定手段と、前記プログラム情報を前記第１記録媒体から前記第２記録媒体に記録すべく前記再生装置および前記記録再生装置を制御する際に、前記第３識別情報決定手段により決定された１つの識別情報を、前記第２記録媒体に記録されるべき当該プログラム情報に対応付けて記憶する識別情報記憶手段と、を備えるように構成する。
【００３５】
請求項１５に記載の発明によれば、管理情報に基づき、取得された複数の識別情報のうち何れか１つの識別情報が取得されたテキスト情報に含まれている場合には、当該１つの識別情報がプログラム情報に付与されるので、管理情報に基づく識別情報の検索を効果的に補うことができる。従って、誤った識別情報がプログラム情報に付与されることを防止することができる。
【００３６】
請求項１６に記載の発明は、請求項１５に記載の情報再生記録システムにおいて、前記何れか１つの識別情報が前記取得された前記テキスト情報に含まれていない場合、または、前記テキスト情報が取得可能でない場合には、前記取得された複数の前記識別情報のうちから１つの識別情報の選択をユーザに促し、当該ユーザにより選択された１つの識別情報を決定する第４識別情報決定手段をさらに備え、前記識別情報記憶手段は、前記第３識別情報決定手段または第４識別情報決定手段により決定された１つの識別情報を、前記第２記録媒体に記録されるべき当該プログラム情報に対応付けて記憶するように構成する。
【００３７】
請求項１７に記載の発明は、請求項１５に記載の情報再生記録システムにおいて、前記制御装置は、前記第１記録媒体に記録されたプログラム情報の数を計数する情報計数手段をさらに備え、前記識別情報有無判断手段は、前記計数されたプログラム情報の数が１以上所定数以下の場合にのみ、前記取得された前記識別情報のうち何れか１つの識別情報が前記取得された前記テキスト情報に含まれているか否かを判断するように構成する。
【００３８】
請求項１７に記載の発明によれば、第１記録媒体に記録されているプログラム情報の数が多いときよりも少ないときの方が、第１管理情報に対応するプログラム情報が第２記録媒体に記録されていると誤って判断される確率が高くなるため、プログラム情報の数が所定数以下と少ないときに限り、取得された識別情報のうち何れか１つの識別情報が取得されたテキスト情報に含まれているか否かを判断することで、管理情報に基づく識別情報の検索をより効率良く補うことができる。
【００３９】
請求項１８に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおいて、前記制御装置は、前記第１記録媒体に記録されたプログラム情報に対応する第１管理情報を取得する第１管理情報取得手段と、複数のプログラム情報毎に、当該プログラム情報に対応する管理情報と当該プログラム情報に対応する識別情報とが関連付けられて登録された識別情報データベースを参照し、前記取得された前記第１管理情報に関連付けられたプログラム情報に対応する識別情報を取得する識別情報取得手段と、前記識別情報が複数取得された場合には、ユーザにより予め入力されたプログラム情報に対応する識別情報が登録されたユーザ入力情報データベースを参照し、前記取得された前記識別情報のうち何れか１つの識別情報が前記ユーザ入力情報データベースに登録されているか否かを判断するユーザ登録判断手段と、前記何れか１つの識別情報が前記ユーザ入力情報データベースに登録されている場合には、当該１つの識別情報を決定する第５識別情報決定手段と、前記プログラム情報を前記第１記録媒体から前記第２記録媒体に記録すべく前記再生装置および前記記録再生装置を制御する際に、前記第５識別情報決定手段により決定された１つの識別情報を、前記第２記録媒体に記録されるべき当該プログラム情報に対応付けて記憶する識別情報記憶手段と、を備えるように構成する。
【００４０】
請求項１８に記載の発明によれば、管理情報に基づき、取得された複数の識別情報のうち何れか１つの識別情報がユーザ入力情報データベースに登録されている場合には、当該１つの識別情報がプログラム情報に付与されるので、管理情報に基づく識別情報の検索を効果的に補うことができる。従って、誤った識別情報がプログラム情報に付与されることを防止することができる。
【００４１】
請求項１９に記載の発明は、請求項１８に記載の情報再生記録システムにおいて、前記何れか１つの識別情報が前記ユーザ入力情報データベースに登録されていない場合には、前記取得された複数の前記識別情報のうちから１つの識別情報の選択をユーザに促し、当該ユーザにより選択された１つの識別情報を決定する第６識別情報決定手段をさらに備え、前記識別情報記憶手段は、前記第５識別情報決定手段または前記第６識別情報決定手段により決定された１つの識別情報を、前記第２記録媒体に記録されるべき当該プログラム情報に対応付けて記憶するように構成する。
【００４２】
請求項２０に記載の発明は、請求項１８に記載の情報再生記録システムにおいて、前記制御装置は、前記第１記録媒体に記録されたプログラム情報の数を計数する情報計数手段をさらに備え、前記ユーザ登録判断手段は、前記計数されたプログラム情報の数が１以上所定数以下の場合にのみ、前記取得された前記識別情報のうち何れか１つの識別情報が前記ユーザ入力情報データベースに登録されているか否かを判断するように構成する。
【００４３】
請求項２０に記載の発明によれば、第１記録媒体に記録されているプログラム情報の数が多いときよりも少ないときの方が、第１管理情報に対応するプログラム情報が第２記録媒体に記録されていると誤って判断される確率が高くなるため、プログラム情報の数が所定数以下と少ないときに限り、当該識別情報がユーザ入力情報データベースに登録されているか否かを判断することで管理情報に基づく識別情報の検索をより効率良く補うことができる。
【００４４】
請求項２１に記載の発明は、第１記録媒体に記録されたプログラム情報に対応する第１管理情報を取得する第１管理情報取得工程と、第２記録媒体に記録されたプログラム情報に対応する第２管理情報を取得する第２管理情報取得工程と、前記第１管理情報と前記第２管理情報とを比較し、その比較結果に基づいて、前記第１管理情報に対応するプログラム情報が前記第２記録媒体に記録されているか否かを判断する情報記録判断工程と、前記第１管理情報に対応するプログラム情報が前記第２記録媒体に記録されていると判断された場合には、所定の記録条件を満足するか否か判断し、前記記録条件を満足すると判断された場合には、前記第１記録媒体に記録された前記第１管理情報に対応するプログラム情報を前記第２記録媒体に記録する情報記録制御工程と、を備えるように構成する。
【００４５】
請求項２１に記載の発明によれば、請求項１に記載の発明と同様の効果を得ることができる。
【００４６】
請求項２２に記載の発明は、請求項２１に記載の情報再生記録方法において、前記情報記録制御工程は、前記第１記録媒体に記録された前記第１管理情報に対応するプログラム情報を前記第２記録媒体に記録させるか否かの選択をユーザに促し、その選択結果に基づいて、前記記録条件を満足するか否か判断するように構成する。
【００４７】
請求項２２に記載の発明によれば、請求項２に記載の発明と同様の効果を得ることができる。
【００４８】
請求項２３に記載の発明は、第１記録媒体に記録されたプログラム情報に対応する第１管理情報を取得する第１管理情報取得工程と、第２記録媒体に記録されたプログラム情報に対応する第２管理情報を取得する第２管理情報取得工程と、前記第１管理情報と前記第２管理情報とを比較し、その比較結果に基づいて、前記第１管理情報に対応するプログラム情報が前記第２記録媒体に記録されているか否かを判断する情報記録判断工程と、前記第１管理情報に対応するプログラム情報が前記第２記録媒体に記録されていると判断された場合には、前記第２記録媒体に記録された当該プログラム情報を消去し、前記第１記録媒体に記録された前記第１管理情報に対応するプログラム情報を前記第２記録媒体に記録する情報記録制御工程と、を備えるように構成する。
【００４９】
請求項２３に記載の発明によれば、請求項６に記載の発明と同様の効果を得ることができる。
【００５０】
請求項２４に記載の発明は、請求項２３に記載の情報再生記録方法において、前記情報記録制御工程は、前記第２記録媒体に記録された前記プログラム情報を消去するか否かの選択をユーザに促し、その選択結果に基づいて、前記前記第２記録媒体に記録された当該プログラム情報を消去し、前記第１記録媒体に記録された前記第１管理情報に対応するプログラム情報を前記第２記録媒体に記録するように構成する。
【００５１】
請求項２４に記載の発明によれば、請求項７に記載の発明と同様の効果を得ることができる。
【００５２】
請求項２５に記載の発明は、第１記録媒体に記録されたプログラム情報に対応する第１管理情報を取得する第１管理情報取得工程と、複数のプログラム情報毎に、当該プログラム情報に対応する管理情報と当該プログラム情報に対応する識別情報とが関連付けられて登録された情報データベースを参照し、前記取得された前記第１管理情報に関連付けられたプログラム情報に対応する識別情報を取得する識別情報取得工程と、前記第１記録媒体に記録されたプログラム情報の数を計数する情報計数工程と、前記識別情報が複数取得され、かつ、前記計数されたプログラム情報の数が１以上所定数以下の場合には、前記取得された複数の前記識別情報のうちから１つの識別情報の選択をユーザに促し、当該ユーザにより選択された１つの識別情報を決定する第１識別情報決定工程と、前記プログラム情報が前記第１記録媒体から前記第２記録媒体に記録される際に、前記第１識別情報決定工程により決定された１つの識別情報を、前記第２記録媒体に記録されるべき当該プログラム情報に対応付けて記憶する識別情報記憶工程と、を備えるように構成する。
【００５３】
請求項２５に記載の発明によれば、請求項１３に記載の発明と同様の効果を得ることができる。
【００５４】
請求項２６に記載の発明は、請求項２５に記載の情報再生記録方法において、前記識別情報が複数取得され、かつ、前記計数されたプログラム情報の数が前記所定数より大きい場合には、前記取得された複数の前記識別情報のうちから最も確率の高い１つの識別情報を決定する第２識別情報決定工程をさらに備え、前記識別情報記憶工程は、前記第１識別情報決定工程または第２識別情報決定工程により決定された１つの識別情報を、前記第２記録媒体に記録されるべき当該プログラム情報に対応付けて記憶するように構成する。
【００５５】
請求項２７に記載の発明は、第１記録媒体に記録されたプログラム情報に対応する第１管理情報を取得する第１管理情報取得工程と、前記プログラム情報に対応するテキスト情報を前記第１記録媒体から取得可能か否かを判断し、取得可能である場合には、当該テキスト情報を取得するテキスト情報取得工程と、複数のプログラム情報毎に、当該プログラム情報に対応する管理情報と当該プログラム情報に対応する識別情報とが関連付けられて登録された識別情報データベースを参照し、前記取得された前記第１管理情報に関連付けられたプログラム情報に対応する識別情報を取得する識別情報取得工程と、前記識別情報が複数取得され、かつ、前記テキスト情報が取得された場合には、前記取得された前記識別情報のうち何れか１つの識別情報が前記取得された前記テキスト情報に含まれているか否かを判断する識別情報有無判断工程と、前記何れか１つの識別情報が前記取得された前記テキスト情報に含まれている場合には、当該１つの識別情報を決定する第３識別情報決定工程と、前記プログラム情報が前記第１記録媒体から前記第２記録媒体に記録される際に、前記第３識別情報決定工程により決定された１つの識別情報を、前記第２記録媒体に記録されるべき当該プログラム情報に対応付けて記憶する識別情報記憶工程と、を備えるように構成する。
【００５６】
請求項２７に記載の発明によれば、請求項１５に記載の発明と同様の効果を得ることができる。
【００５７】
請求項２８に記載の発明は、請求項２７に記載の情報再生記録方法において、前記何れか１つの識別情報が前記取得された前記テキスト情報に含まれていない場合、または、前記テキスト情報が取得可能でない場合には、前記取得された複数の前記識別情報のうちから１つの識別情報の選択をユーザに促し、当該ユーザにより選択された１つの識別情報を決定する第４識別情報決定工程をさらに備え、前記識別情報記憶工程は、前記第３識別情報決定工程または第４識別情報決定工程により決定された１つの識別情報を、前記第２記録媒体に記録されるべき当該プログラム情報に対応付けて記憶するように構成する。
【００５８】
請求項２９に記載の発明は、第１記録媒体に記録されたプログラム情報に対応する第１管理情報を取得する第１管理情報取得工程と、複数のプログラム情報毎に、当該プログラム情報に対応する管理情報と当該プログラム情報に対応する識別情報とが関連付けられて登録された識別情報データベースを参照し、前記取得された前記管理情報に関連付けられたプログラム情報に対応する識別情報を取得する識別情報取得工程と、前記識別情報が複数取得された場合には、ユーザにより予め入力されたプログラム情報に対応する識別情報が登録されたユーザ入力情報データベースを参照し、前記取得された前記識別情報のうち何れか１つの識別情報が前記ユーザ入力情報データベースに登録されているか否かを判断するユーザ登録判断工程と、前記何れか１つの識別情報が前記ユーザ入力情報データベースに登録されている場合には、当該１つの識別情報を決定する第５識別情報決定工程と、前記プログラム情報が前記第１記録媒体から前記第２記録媒体に記録される際に、前記第５識別情報決定工程により決定された１つの識別情報を、前記第２記録媒体に記録されるべき当該プログラム情報に対応付けて記憶する識別情報記憶工程と、を備えるように構成する。
【００５９】
請求項２９に記載の発明によれば、請求項１８に記載の発明と同様の効果を得ることができる。
【００６０】
請求項３０に記載の発明は、請求項２９に記載の情報再生記録方法において、前記何れか１つの識別情報が前記ユーザ入力情報データベースに登録されていない場合には、前記取得された複数の前記識別情報のうちから１つの識別情報の選択をユーザに促し、当該ユーザにより選択された１つの識別情報を決定する第６識別情報決定工程をさらに備え、前記識別情報記憶工程は、前記第５識別情報決定工程または第６識別情報決定工程により決定された１つの識別情報を、前記第２記録媒体に記録されるべき当該プログラム情報に対応付けて記憶するように構成する。
【００６１】
請求項３１に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、前記第１記録媒体に記録されたプログラム情報に対応する第１管理情報を取得する第１管理情報取得手段、前記第２記録媒体に記録されたプログラム情報に対応する第２管理情報を取得する第２管理情報取得手段、前記第１管理情報と前記第２管理情報とを比較し、その比較結果に基づいて、前記第１管理情報に対応するプログラム情報が前記第２記録媒体に記録されているか否かを判断する情報記録判断手段、前記第１管理情報に対応するプログラム情報が前記第２記録媒体に記録されていると判断された場合には、所定の記録条件を満足するか否か判断し、前記記録条件を満足すると判断された場合には、前記第１記録媒体に記録された前記第１管理情報に対応するプログラム情報を前記第２記録媒体に記録させるべく前記再生装置および前記記録再生装置を制御する情報記録制御手段、として機能させるように構成する。
【００６２】
請求項３１に記載の発明によれば、情報再生記録処理プログラムがコンピュータに組み込まれることにより、請求項１に記載の情報再生記録システムを実現することができる。
【００６３】
請求項３２に記載の発明は、請求項３１に記載の情報再生記録処理プログラムにおいて、前記情報記録制御手段は、前記第１記録媒体に記録された前記第１管理情報に対応するプログラム情報を前記第２記録媒体に記録させるか否かの選択をユーザに促し、その選択結果に基づいて、前記記録条件を満足するか否か判断するように構成する。
【００６４】
請求項３２に記載の発明によれば、情報再生記録処理プログラムがコンピュータに組み込まれることにより、請求項２に記載の情報再生記録システムを実現することができる。
【００６５】
請求項３３に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、前記第１記録媒体に記録されたプログラム情報に対応する第１管理情報を取得する第１管理情報取得手段、前記第２記録媒体に記録されたプログラム情報に対応する第２管理情報を取得する第２管理情報取得手段、前記第１管理情報と前記第２管理情報とを比較し、その比較結果に基づいて、前記第１管理情報に対応するプログラム情報が前記第２記録媒体に記録されているか否かを判断する情報記録判断手段、前記第１管理情報に対応するプログラム情報が前記第２記録媒体に記録されていると判断された場合には、前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御する情報記録制御手段、として機能させるように構成する。
【００６６】
請求項３３に記載の発明によれば、情報再生記録処理プログラムがコンピュータに組み込まれることにより、請求項６に記載の情報再生記録システムを実現することができる。
【００６７】
請求項３４に記載の発明は、請求項３３に記載の情報再生記録処理プログラムにおいて、前記情報記録制御手段は、前記第２記録媒体に記録された前記プログラム情報を消去するか否かの選択をユーザに促し、その選択結果に基づいて、前記前記第２記録媒体に記録された当該プログラム情報を消去し、前記第１記録媒体に記録された前記第１管理情報に対応するプログラム情報を前記第２記録媒体に記録させるべく前記再生装置および前記記録再生装置を制御するように構成する。
【００６８】
請求項３４に記載の発明によれば、情報再生記録処理プログラムがコンピュータに組み込まれることにより、請求項７に記載の情報再生記録システムを実現することができる。
【００６９】
請求項３５に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、前記第１記録媒体に記録されたプログラム情報に対応する第１管理情報を取得する第１管理情報取得手段、複数のプログラム情報毎に、当該プログラム情報に対応する管理情報と当該プログラム情報に対応する識別情報とが関連付けられて登録された情報データベースを参照し、前記取得された前記第１管理情報に関連付けられたプログラム情報に対応する識別情報を取得する識別情報取得手段、前記第１記録媒体に記録されたプログラム情報の数を計数する情報計数手段、前記識別情報が複数取得され、かつ、前記計数されたプログラム情報の数が１以上所定数以下の場合には、前記取得された複数の前記識別情報のうちから１つの識別情報の選択をユーザに促し、当該ユーザにより選択された１つの識別情報を決定する第１識別情報決定手段、前記プログラム情報を前記第１記録媒体から前記第２記録媒体に記録すべく前記再生装置および前記記録再生装置を制御する際に、前記第１識別情報決定手段により決定された１つの識別情報を、前記第２記録媒体に記録されるべき当該プログラム情報に対応付けて記憶する識別情報記憶手段、として機能させるように構成する。
【００７０】
請求項３５に記載の発明によれば、情報再生記録処理プログラムがコンピュータに組み込まれることにより、請求項１３に記載の情報再生記録システムを実現することができる。
【００７１】
請求項３６に記載の発明は、請求項３５に記載の情報再生記録処理プログラムにおいて、前記コンピュータを、前記識別情報が複数取得され、かつ、前記計数されたプログラム情報の数が前記所定数より大きい場合には、前記取得された複数の前記識別情報のうちから最も確率の高い１つの識別情報を決定する第２識別情報決定手段としてさらに機能させ、前記識別情報記憶手段は、前記第１識別情報決定手段または第２識別情報決定手段により決定された１つの識別情報を、前記第２記録媒体に記録されるべき当該プログラム情報に対応付けて記憶するように構成する。
【００７２】
請求項３７に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、前記第１記録媒体に記録されたプログラム情報に対応する第１管理情報を取得する第１管理情報取得手段、前記プログラム情報に対応するテキスト情報を前記第１記録媒体から取得可能か否かを判断し、取得可能である場合には、当該テキスト情報を取得するテキスト情報取得手段、複数のプログラム情報毎に、当該プログラム情報に対応する管理情報と当該プログラム情報に対応する識別情報とが関連付けられて登録された識別情報データベースを参照し、前記取得された前記第１管理情報に関連付けられたプログラム情報に対応する識別情報を取得する識別情報取得手段、前記識別情報が複数取得され、かつ、前記テキスト情報が取得された場合には、前記取得された前記識別情報のうち何れか１つの識別情報が前記取得された前記テキスト情報に含まれているか否かを判断する識別情報有無判断手段、前記何れか１つの識別情報が前記取得された前記テキスト情報に含まれている場合には、当該１つの識別情報を決定する第３識別情報決定手段、前記プログラム情報を前記第１記録媒体から前記第２記録媒体に記録すべく前記再生装置および前記記録再生装置を制御する際に、前記第３識別情報決定手段により決定された１つの識別情報を、前記第２記録媒体に記録されるべき当該プログラム情報に対応付けて記憶する識別情報記憶手段、として機能させるように構成するように構成する。
【００７３】
請求項３７に記載の発明によれば、情報再生記録処理プログラムがコンピュータに組み込まれることにより、請求項１５に記載の情報再生記録システムを実現することができる。
【００７４】
請求項３８に記載の発明は、請求項３７に記載の情報再生記録処理プログラムにおいて、前記コンピュータを、前記何れか１つの識別情報が前記取得された前記テキスト情報に含まれていない場合、または、前記テキスト情報が取得可能でない場合には、前記取得された複数の前記識別情報のうちから１つの識別情報の選択をユーザに促し、当該ユーザにより選択された１つの識別情報を決定する第４識別情報決定手段としてさらに機能させ、前記識別情報記憶手段は、前記第３識別情報決定手段または第４識別情報決定手段により決定された１つの識別情報を、前記第２記録媒体に記録されるべき当該プログラム情報に対応付けて記憶するように構成する。
【００７５】
請求項３９に記載の発明は、第１記録媒体からプログラム情報の再生を行う再生装置と、第２記録媒体へのプログラム情報の記録または当該第２記録媒体からプログラム情報の再生を行う記録再生装置と、前記再生装置および前記記録再生装置を制御する制御装置と、を備えた情報再生記録システムにおける前記制御装置に含まれるコンピュータを、前記第１記録媒体に記録されたプログラム情報に対応する第１管理情報を取得する第１管理情報取得手段、複数のプログラム情報毎に、当該プログラム情報に対応する管理情報と当該プログラム情報に対応する識別情報とが関連付けられて登録された識別情報データベースを参照し、前記取得された前記管理情報に関連付けられたプログラム情報に対応する識別情報を取得する識別情報取得手段、前記識別情報が複数取得された場合には、ユーザにより予め入力されたプログラム情報に対応する識別情報が登録されたユーザ入力情報データベースを参照し、前記取得された前記識別情報のうち何れか１つの識別情報が前記ユーザ入力情報データベースに登録されているか否かを判断するユーザ登録判断手段、前記何れか１つの識別情報が前記ユーザ入力情報データベースに登録されている場合には、当該１つの識別情報を決定する第５識別情報決定手段、前記プログラム情報を前記第１記録媒体から前記第２記録媒体に記録すべく前記再生装置および前記記録再生装置を制御する際に、前記第５識別情報決定手段により決定された１つの識別情報を、前記第２記録媒体に記録されるべき当該プログラム情報に対応付けて記憶する識別情報記憶手段、として機能させるように構成する。
【００７６】
請求項３９に記載の発明によれば、情報再生記録処理プログラムがコンピュータに組み込まれることにより、請求項１８に記載の情報再生記録システムを実現することができる。
【００７７】
請求項４０に記載の発明は、請求項３９に記載の情報再生記録処理プログラムにおいて、前記コンピュータを、前記何れか１つの識別情報が前記ユーザ入力情報データベースに登録されていない場合には、前記取得された複数の前記識別情報のうちから１つの識別情報の選択をユーザに促し、当該ユーザにより選択された１つの識別情報を決定する第６識別情報決定手段としてさらに機能させ、前記識別情報記憶手段は、前記第５識別情報決定手段または第６識別情報決定手段により決定された１つの識別情報を、前記第２記録媒体に記録されるべき当該プログラム情報に対応付けて記憶するように構成する。
【００７８】
【発明の実施の形態】
以下、本発明の好適な実施の形態を添付図面に基づいて説明する。なお、以下の実施形態は、本発明にかかる情報再生記録システムをオーディオシステムに適用した場合の実施形態である。
【００７９】
（第１実施形態）
第１実施形態では、管理情報に基づいて、第１記録媒体に記録されたプログラム情報が、第２記録媒体に記録されているか否かが判断され、記録されてないと判断された場合に、当該プログラム情報が第２記録媒体に記録される処理において、その判断結果が効果的に補われるという特徴のある処理について説明する。
【００８０】
先ず、図１を参照して、第１実施形態にかかるオーディオシステムの構成および機能を説明する。
【００８１】
図１は、オーディオシステムの概要ブロック例である。図１に示すように、オーディオシステム１００は、第１記録媒体としてのＣＤ１０に記録されたプログラム情報（本実施形態では、楽曲データを例にとる）を再生する再生装置としてのＣＤ再生部１と、ＣＤ再生部１により再生された楽曲データに対して高速でデジタル信号処理を施して出力するＤＳＰ（Ｄｉｇｉｔａｌ　Ｓｉｇｎａｌ　Ｐｒｏｃｅｓｓｏｒ）２と、ＤＳＰ２から出力された楽曲データをデジタル／アナログ変換しアナログ音声信号として出力するＤＡＣ（Ｄｉｇｉｔａｌ−ｔｏ−Ａｎａｌｏｇ　Ｃｏｎｖｅｒｔｅｒ）４と、ＤＡＣ４から出力されたアナログ音声信号を増幅して出力するＡＭＰ（Ａｍｐｌｉｆｉｅｒ）５と、ＡＭＰ５から出力されたアナログ音声信号を音波として出力するスピーカ６と、ＤＳＰ２から出力された楽曲データを第２記録媒体としてのＨＤＤ１１に記録または、ＨＤＤ１１に記録された楽曲データを再生する記録再生装置としてのＨＤＤ記録再生部７と、上記各構成要素の動作制御を担う制御装置としての制御部８と、ユーザからの操作指示（例えば、再生指示、記録指示）を受付ける操作ボタンや、ＣＤ１０やＨＤＤ１１に記録された楽曲データに対応する識別情報（例えば、楽曲タイトルなど）を表示する表示器を備える操作／表示部９と、を含んで構成される。
【００８２】
ＣＤ再生部１は、ＣＤ１０を装着するための装着機構、ＣＤ１０に記録された楽曲データを光学的に読み取るピックアップ、ＣＤ１０を回転駆動するスピンドルモータ、スピンドルモータとピックアップをサーボ制御するサーボ回路などを備えており、楽曲データ（ＬＲＣＫ，ＢＣＫ，ＢＤＡＴＡ，Ｃ２ＰＯなどのデジタルデータ信号）を再生し、ＤＳＰ２に出力する。また、ＣＤ再生部１は、ＣＤ１０の最内周部に記録された第１管理情報としての第１ＴＯＣ情報を読み出し、制御部８に出力する。また、ＣＤ再生部１は、ＣＤ１０にプロテクトがかかっていない場合には、テキスト情報を読み出し、制御部８に出力することができる。このテキスト情報には、例えば、楽曲タイトル、アーティスト名、ジャンルなどの情報が含まれている。
【００８３】
なお、かかるＣＤ再生部１には、公知の技術を適用できるので、詳しい説明を省略する。また、ＣＤ再生部１では、ＡＴＡＰＩ接続であってもよい。
【００８４】
また、本実施形態では、本発明の再生装置の一例としてＣＤ再生部１を適用したが、これに限定されるものではなく、例えば、ＤＶＤに記録された楽曲データを再生するＤＶＤ再生部や、ＭＤに記録された楽曲データを再生するＭＤ再生部などを適用してもよく、また、これらを併用するように構成してもよい。
【００８５】
ＤＳＰ２は、論理回路やメモリ回路を備えており、ＣＤ再生部１により再生された楽曲データに対して高速でデジタル信号処理、具体的には、ＣＤ再生部１により再生されたＲＦ（Ｒａｄｉｏ　Ｆｒｅｑｕｅｎｃｙ）信号の音声データに対してＥＦＭ（Ｅｉｇｈｔ　ｔｏ　Ｆｏｕｒｔｅｅｎ　Ｍｏｄｕｌａｔｉｏｎ）復調などの公知の音響処理を施して、当該楽曲データをＤＡＣ４およびＨＤＤ記録再生部７に出力する。
【００８６】
ＨＤＤ記録再生部７は、バッファメモリ、ＨＤＤドライブなどを備えている。ＤＳＰ２から出力された楽曲データは、バッファメモリに一旦蓄えられた後、ＨＤＤドライブによりＨＤＤ１１に記録されることになる。また、ＨＤＤドライブによりＨＤＤ１１から再生された楽曲データは、バッファメモリに蓄えられた後、ＤＳＰ２に出力される。
【００８７】
ＨＤＤ１１には、複数の楽曲データとともに、これに対応する第２管理情報としての第２ＴＯＣ情報が対応付けられて記録されている。この第２ＴＯＣ情報は、ＣＤ再生部１によりＣＤ１０から読み出され、制御部８およびＨＤＤ記録・再生部７を介してＨＤＤ１１に記録されるものである。なお、ＣＤ１０からテキスト情報を読み出すことができる場合には、かかるテキスト情報を、第２ＴＯＣ情報に対応付けてＨＤＤ１１に記録するようにしてもよい。
【００８８】
また、ＨＤＤ１１には、多数の楽曲データに対応する識別情報（例えば、楽曲タイトル）と、これらの楽曲データのそれぞれに対応するＴＯＣ情報とが関連付けられて登録された情報データベースが論理的に構築されている。この情報データベースに登録されるべき情報は、インターネット上の所定のサーバからダウンロードされることができる。また、この情報データベースには、本実施形態におけるＣＤ１０およびＨＤＤ１１に記録されていない楽曲データに対応する識別情報およびＴＯＣ情報が記憶されている。つまり、情報データベースは、楽曲データに対応するＴＯＣ情報から、楽曲データに対応する識別情報を検索するためのものである。
【００８９】
なお、かかるＨＤＤ記録再生部７には、公知の技術を適用できるので、詳しい説明を省略する。また、本実施形態では、本発明の記録再生装置の一例としてＨＤＤ記録再生部７を適用したが、これに限定されるものではなく、例えば、ＣＤ−Ｒに楽曲データを記録再生するＣＤ−Ｒ記録再生部や、ＤＶＤ−Ｒ／Ｗに楽曲データを記録再生するＤＶＤ−Ｒ／Ｗ記録再生部などを適用してもよく、また、これらを併用するように構成してもよい。
【００９０】
制御部８は、演算機能を有するＣＰＵ、作業用ＲＡＭ、各種処理プログラムやデータを記憶するＲＯＭなどからなり、操作・表示部９からの指示に従い、ＣＤ再生部１の再生動作や、ＨＤＤ記録再生部７の記録再生動作を制御する。また、制御部８は、ＣＤ再生部１から出力された第１ＴＯＣ情報、テキスト情報を取得し楽曲データに対応つけてＨＤＤ１１に記録させるようにＨＤＤ記録再生部７を制御する。
【００９１】
また、制御部８におけるＲＯＭには、情報再生記録処理プログラムが記憶されており、かかるプログラムにより、コンピュータとしての制御部８が、第１管理情報取得手段、第２管理情報取得手段、情報記録判断手段、情報記録制御手段および情報計数手段として機能する。
【００９２】
具体的には、制御部８は、第１管理情報取得手段として機能し、ＣＤ１０に記録された楽曲データに対応する第１ＴＯＣ情報を、ＣＤ再生部１から取得する。また、制御部８は、第２管理情報取得手段として機能し、ＨＤＤ１１に記録された全ての楽曲データに対応する第２ＴＯＣ情報を、ＨＤＤ記録再生部７から取得する。
【００９３】
また、制御部８は、情報記録判断手段として機能し、取得された第１ＴＯＣ情報と第２ＴＯＣ情報とを比較し、その比較結果に基づいて、第１ＴＯＣ情報に対応する楽曲データがＨＤＤ１１に記録されているか否かを判断する。例えば、制御部８は、第２ＴＯＣ情報の中に、第１ＴＯＣ情報と一致するものがあるかを比較し、一致するものがあった場合には、ＣＤ１０から再生された楽曲データがＨＤＤ１１に記録されているものと判断される。
【００９４】
そして、制御部８は、情報記録制御手段として機能し、第１ＴＯＣ情報に対応する楽曲データがＨＤＤ１１に記録されていると判断された場合には、所定の記録条件を満足するか否かを判断し、当該記録条件を満足すると判断された場合には、ＣＤ１０に記録された第１ＴＯＣ情報に対応する楽曲データをＨＤＤ１１に記録させるべく、ＣＤ再生部１および、ＨＤＤ記録再生部７を制御する。例えば、制御部８は、情報記録制御手段として、ＣＤ１０に記録された第１ＴＯＣ情報に対応する楽曲データをＨＤＤ１１に記録させるか否かの選択をユーザに促し、その選択結果に基づいて、当該記録条件を満足するか否か判断する。このような選択をユーザに促す方法として、例えば、ＣＤ１０に記録された第１ＴＯＣ情報に対応する楽曲データと、ＨＤＤ１１に記録された第２ＴＯＣ情報に対応する楽曲データとを交互に再生させる。また、楽曲データを記録するか否かを選択するように促す文字を操作／表示部９に表示させたり、楽曲データを記録するか否かを選択するように促す音声をスピーカ６から出力させるように構成してもよい。
【００９５】
また、制御部８は、情報計数手段として機能し、ＣＤ１０に記録された楽曲データの数（ＣＤ収録曲）を計数する。
【００９６】
次に、図２を参照して、第１実施形態にかかるオーディオシステムの動作を説明する。
【００９７】
図２は、第１実施形態において、ＣＤ１０に記録された楽曲データが再生され、ＨＤＤ１１に記録される際の制御部８の処理を示すフローチャートである。
【００９８】
図２の処理において、先ず、ＣＤ再生部１にＣＤ１０が装着されると、ＣＤ再生部１は、ＣＤ１０の最内周部に記録された第１ＴＯＣ情報を読み出し、制御部８に出力する。こうして、制御部８は、ＣＤ再生部１から出力された第１ＴＯＣ情報を取得する（ステップＳ１）。なお、ＣＤ１０からテキスト情報を読み出すことができる場合には、ＣＤ再生部１は、かかるテキスト情報を読み出し、制御部８に出力することになる。次いで、制御部８は、ＨＤＤ記録再生部７を介して情報データベースを参照し、取得した第１ＴＯＣ情報に関連付けられた識別情報を取得する（ステップＳ２）。
【００９９】
次に、ユーザが操作・表示部９を操作して、ＣＤ１０に記録された楽曲データの再生および記録指示を入力すると、制御部８は、ＨＤＤ記録再生部７を介して、ＨＤＤ１１に記録された全ての楽曲データに対応する第２ＴＯＣ情報を、ＨＤＤ記録再生部７から取得する（ステップＳ３）。
【０１００】
次に、制御部８は、第２ＴＯＣ情報の中に、第１ＴＯＣ情報と一致するものがあるか否かを比較判断し（ステップＳ４）、一致するものがなかった場合には、ステップＳ９に移行する。一方、一致するものがあった場合には、ＣＤ１０から再生された楽曲データがＨＤＤ１１に記録されているものと判断し、ステップＳ５に移行する。
【０１０１】
ステップＳ５では、制御部８は、ＣＤ１０に記録された第１ＴＯＣ情報に対応する楽曲データと、ＨＤＤ１１に記録された第２ＴＯＣ情報に対応する楽曲データとを交互に再生させるように、ＣＤ再生部１およびＨＤＤ記録再生部７に対して再生指令を与える。これにより、ステップＳ４にて一致すると判断されたＣＤ１０に記録された楽曲データおよびＨＤＤ１１に記録された楽曲データが、交互に再生され、ＤＳＰ２、ＤＡＣ４およびＡＭＰ５を介してスピーカ６から出力される。つまり、ＣＤ１０に記録された楽曲データをＨＤＤ１１に記録するかどうかの選択が、ユーザに促されることになる。
【０１０２】
そして、ユーザが、操作・表示部９における記録を指示するボタンを押下すると、制御部８は、これに応じ（ステップＳ６）、ステップＳ９に移行する。つまり、ユーザが、交互に再生された楽曲を聴いてみたところ、実際には、異なった楽曲であったので、記録を指示するボタンを押下し、当該楽曲データを記録することとしたのである。一方、所定期間内（例えば、楽曲データが交互に再生されてから５秒以内）に、記録を指示するボタンの押下がなかった場合には（ステップＳ７）、制御部８は、ステップＳ８に移行し、ＣＤ再生部１に対して、通常の楽曲データの再生指令を与える（ステップＳ８）。つまり、ユーザが、交互に再生された楽曲を聴いてみたところ、実際に同じ楽曲であったので、記録を指示するボタンを押下しないのである。これにより、ＣＤ１０に記録された楽曲データの再生のみが行われ、ＨＤＤ１１への記録が行われないのである。
【０１０３】
ステップＳ９では、制御部８は、上記ステップＳ４にて判断されたＣＤ１０に記録された楽曲データをＨＤＤ１１に記録させるために、ＣＤ再生部１に再生指令を与えるとともに、ＨＤＤ記録再生部７に記録指令を与える。これにより、ＣＤ１０から楽曲データが再生され、ＤＳＰ２、ＤＡＣ４およびＡＭＰ５を介してスピーカ６から出力されるとともに、ＤＳＰ２、ＨＤＤ記録・再生部７を介してＨＤＤ１１に記録されることになる。次いで、制御部８は、その楽曲データに対応付けて、これに対応する第１ＴＯＣ情報および識別情報（例えば、楽曲タイトル）をＨＤＤ記録・再生部７を介してＨＤＤ１１に記憶する（ステップＳ１０）。また、制御部８は、ＣＤ１０からテキスト情報を読み出した場合には、かかるテキスト情報も、当該楽曲データに対応付けてＨＤＤ１１に記録する。
【０１０４】
次に、制御部８は、当該楽曲データの再生が終了したか否かを判断し（ステップＳ１１）、終了した場合には、次に再生すべき楽曲データがあるか否かを判断する（ステップＳ１２）。次に再生すべき楽曲データがある場合には、ステップＳ４に戻り、制御部８は、かかる楽曲データに対し上記と同様の処理を行う。一方、次に再生すべき楽曲データがない場合には、上記処理が終了される。
【０１０５】
以上説明したように第１実施形態によれば、第１ＴＯＣ情報と第２ＴＯＣ情報との比較結果、第１ＴＯＣ情報に対応する楽曲データが記録されていると誤って判断された場合でも、ＣＤ１０に記録された第１ＴＯＣ情報に対応する楽曲データをＨＤＤ１１に記録させるか否かの選択をユーザに促し、その選択結果に基づいて、ＣＤ１０に記録された第１ＴＯＣ情報に対応する楽曲データがＨＤＤ１１に記録されるので、第１ＴＯＣ情報と第２ＴＯＣ情報との比較結果に基づく判断結果を効果的に補うことができ、より的確にＨＤＤ１１に記録されていない楽曲データを、ＣＤ１０からＨＤＤ１１に記録させることができる。
【０１０６】
（第２実施形態）
第２実施形態では、管理情報に基づいて、第１記録媒体に記録されたプログラム情報が、第２記録媒体に記録されているか否かが判断され、記録されていると判断された場合に、第２記録媒体に記録されているプログラム情報が消去され、第１記録媒体に記録されたプログラム情報が新たに記録されるという特徴のある処理について説明する。
【０１０７】
第２実施形態にかかるオーディオシステムの構成についても、第１実施形態と同様、図１に示す構成になっている。従って、これら構成要素のうち、第１実施形態と同一の機能を有する構成要素についての説明を省略する。
【０１０８】
第２実施形態においても、第１実施形態と同様に、制御部８が、第１管理情報取得手段、第２管理情報取得手段、情報記録判断手段および情報計数手段として機能するが、情報記録制御手段は、第１実施形態と異なる機能を有する。
【０１０９】
具体的には、制御部８は、情報記録制御手段として機能し、第１ＴＯＣ情報に対応する楽曲データが第２ＴＯＣ情報に記録されていると判断された場合には、ＨＤＤ１１に記録された当該楽曲データを消去し、ＣＤ１０に記録された第１ＴＯＣ情報に対応する楽曲データをＨＤＤ１１に記録させるべく、ＣＤ再生部１およびＨＤＤ記録再生部７を制御する。
【０１１０】
図３は、第２実施形態において、ＣＤ１０に記録された楽曲データが再生され、ＨＤＤ１１に記録される際の制御部８の処理を示すフローチャートである。
【０１１１】
図３の処理において、ステップＳ２１からステップＳ２３までの処理は、図２に示すステップＳ１からステップＳ３の処理と同様である。
【０１１２】
次に、ステップＳ２４でも、図２に示すステップＳ４と同様、制御部８は、第２ＴＯＣ情報の中に、第１ＴＯＣ情報と一致するものがあるか否かを比較判断する。その結果、一致するものがなかった場合には、ステップＳ２６に移行する。一方、一致するものがあった場合には、制御部８は、ＣＤ１０から再生された楽曲データがＨＤＤ１１に記録されているものと判断し、ステップＳ２５に移行する。
【０１１３】
ステップＳ２５では、制御部８は、ＣＤ１０に記録されている第１ＴＯＣ情報に対応する楽曲データであって、ＨＤＤ１１に記録されていると判断された楽曲データの消去指令をＨＤＤ記録再生部７に対して与える。これにより、ＨＤＤ１１に記録されている当該楽曲データが消去されることになる。
【０１１４】
なお、ステップＳ２５において、制御部８は、操作／表示部９を介したユーザからのある操作指示を待って、ＨＤＤ１１に記録されていると判断された楽曲データの消去指令をＨＤＤ記録再生部７に対して与えるようにしても構わない。つまり、ステップＳ２４において、ＣＤ１０から再生された楽曲データがＨＤＤ１１に記録されているものと判断された場合に、いきなり楽曲データを消去するのではなく、ワンクッションおくという趣旨である。
【０１１５】
ステップＳ２６では、制御部８は、上記第１ＴＯＣ情報に対応する楽曲データをＣＤ１０から再生し、ＨＤＤ１１に記録させるために、ＣＤ再生部１に再生指令を与えるとともに、ＨＤＤ記録再生部７に記録指令を与える。これにより、第１ＴＯＣ情報に対応する楽曲データが、ＨＤＤ１１に記録されることになる。ここで、ステップＳ２５の処理にて、楽曲データがＨＤＤ１１から消去されていた場合には、制御部８は、消去された楽曲データが記録されていたＨＤＤ１１の領域に、上記第１ＴＯＣ情報に対応する楽曲データを記録すべく、ＨＤＤ記録再生部７に対してアドレスを指定する。これにより、ＨＤＤ１１に記録されていた楽曲データが、これと同一の楽曲データに置き換わることとなる。次いで、制御部８は、その楽曲データに対応付けて、これに対応する第１ＴＯＣ情報および識別情報（例えば、楽曲タイトル）をＨＤＤ記録・再生部７を介してＨＤＤ１１に記録する（ステップＳ２７）。また、制御部８は、ＣＤ１０からテキスト情報を読み出した場合には、かかるテキスト情報も、当該楽曲データに対応付けてＨＤＤ１１に記録する。
【０１１６】
なお、ステップＳ２８以降の処理は、第１実施形態におけるステップＳ１１以降の処理と同様であるので説明を省略する。
【０１１７】
以上説明したように、第２実施形態によれば、第１ＴＯＣ情報と第２ＴＯＣ情報との比較結果、第１ＴＯＣ情報に対応する楽曲データがＨＤＤ１１に記録されている判断された場合には、ＨＤＤ１１に記録された当該楽曲データを消去し、ＣＤ１０に記録された第１ＴＯＣ情報に対応する楽曲データをＨＤＤ１１に記録させるので、先にＨＤＤ１１に記録した楽曲データにノイズ混入や、振動による不都合があったため、楽曲データの記録をやり直す場合でも、ユーザに手動で楽曲データの消去させるなどの操作負担を与えることなく、先に記録された楽曲データを同一の新たなプログラム情報に置き換えることができる。
【０１１８】
なお、第２実施形態の変形例として、第２実施形態における図３に示す処理に、第１実施形態と同様のＣＤ１０に記録された楽曲データが、ＨＤＤ１１に記録されているか否かの判断結果を効果的に補う特徴のある処理を適用してもよい。即ち、図３の処理におけるステップＳ２４にて、第２ＴＯＣ情報の中に、第１ＴＯＣ情報と一致するものがあった場合には、制御部８は、ＣＤ１０に記録された第１ＴＯＣ情報に対応する楽曲データと、ＨＤＤ１１に記録された第２ＴＯＣ情報に対応する楽曲データとを交互に再生させるように、ＣＤ再生部１およびＨＤＤ記録再生部７に対して再生指令を与える。これにより、第１実施形態と同様、ＣＤ１０に記録された楽曲データおよびＨＤＤ１１に記録された楽曲データが、交互に再生され、ＤＳＰ２、ＤＡＣ４およびＡＭＰ５を介してスピーカ６から出力される。つまり、ＨＤＤ１１に記録された上記第２ＴＯＣ情報に対応する楽曲データを消去するかどうかの選択が、ユーザに促されることになる。
【０１１９】
そして、ユーザが、操作・表示部９における消去を指示するボタンを押下すると、制御部２５は、上記ステップＳ２５の処理を行い、ＨＤＤ１１から当該楽曲データを消去させた後、上記ステップＳ２６に移行する。つまり、ユーザが、交互に再生された楽曲を聴いてみたところ、実際に、同じ楽曲であったので、消去を指示するボタンを押下し、当該楽曲データを消去して新たに記録することとしたのである。一方、所定期間内（例えば、楽曲データが交互に再生されてから５秒以内）に、消去を指示するボタンの押下がなかった場合には、制御部８は、ステップＳ２５の処理を行わず、上記ステップＳ２６に移行する。
【０１２０】
このように構成すれば、第１ＴＯＣ情報と第２ＴＯＣ情報との比較結果、第１ＴＯＣ情報に対応する楽曲データがＨＤＤ１１に記録されていると誤って判断された場合でも、ＣＤ１０に記録された第１ＴＯＣ情報に対応する楽曲データをＨＤＤ１１に記録させるか否かの選択をユーザに促し、その選択結果に基づいて、ＨＤＤ１１に記録された当該楽曲データを消去し、ＣＤ１０に記録された第１ＴＯＣ情報に対応する楽曲データをＨＤＤ１１に記録させるので、第１ＴＯＣ情報と第２ＴＯＣ情報との比較結果に基づく判断結果を効果的に補うことができ、実際には異なる楽曲データであったのに、それを誤って消去するという不都合を防止することができる。
【０１２１】
（第３実施形態）
第３実施形態では、第１記録媒体に記録されたプログラム情報が第２記録媒体に記録される際に、管理情報に基づき、当該プログラム情報に対して付与すべき識別情報（例えば、タイトル）が検索される場合において、その検索結果が効果的に補われるという特徴のある処理について説明する。
【０１２２】
第３実施形態にかかるオーディオシステムの構成についても、第１実施形態と同様、図１に示す構成になっている。従って、これら構成要素のうち、第１実施形態と同一の機能を有する構成要素についての説明を省略する。
【０１２３】
第３実施形態においては、第１実施形態と同様に、制御部８が、第１管理情報取得手段および情報計数手段として機能する。
【０１２４】
さらに、第３実施形態においては、制御部８が、識別情報取得手段、第１識別情報決定手段、第２識別情報決定手段および識別情報記憶手段としての機能を有する。
【０１２５】
具体的には、制御部８は、識別情報取得手段として機能し、ＨＤＤ記録再生部７を介して情報データベースを参照し、取得した第１ＴＯＣ情報に関連付けられた識別情報を取得する。つまり、情報データベースには、上述したように、ＴＯＣ情報と識別情報とが対応付けられて記憶されており、制御部８は、取得した第１ＴＯＣ情報と一致する情報データベース内のＴＯＣ情報を検索（データ比較により）し、検索されたＴＯＣ情報に関連付けられた識別情報を取得することになる。ここで、「取得した第１ＴＯＣ情報と一致する」には、データの完全一致ばかりでなく、例えば、情報データベース内のＴＯＣ情報に係るデータ（例えば、数値）を中心とするプラスマイナスの所定範囲内に、取得された第１ＴＯＣ情報に係るデータ（例えば、数値）が入っている場合も含むものとする。
【０１２６】
また、制御部８は、第１識別情報決定手段として機能し、上記識別情報が複数取得され、かつ、計数された楽曲データの数が、例えば、４曲以下の場合には、上記取得された複数の識別情報のうちから１つの識別情報の選択をユーザに促し、当該ユーザにより選択された１つの識別情報を決定する。
【０１２７】
また、制御部８は、第２識別情報決定手段として機能し、上記識別情報が複数取得され、かつ、計数された楽曲データの数が、例えば、４曲より大きい場合には、上記取得された複数の識別情報のうちから最も確率の高い１つの識別情報を決定する。例えば、制御部８は、取得された識別情報に関連付けられた情報データベース内のＴＯＣ情報に係るデータ（例えば、数値）のうち、第１ＴＯＣ情報に係るデータに最も近いものの識別情報を最も確率が高いものとして決定する。
【０１２８】
さらに、制御部８は、識別情報記憶手段として機能し、楽曲データをＣＤ１０からＨＤＤ１１に記録すべく、ＣＤ再生部１およびＨＤＤ記録再生部７を制御する際に、上記第１識別情報決定手段または第２識別情報決定手段により決定された１つの識別情報を、ＨＤＤ１１に記録されるべき当該楽曲データに対応付けて記憶する。つまり、楽曲データに、識別情報が付与されることになる。
【０１２９】
図４は、第３実施形態において、ＣＤ１０に記録された楽曲データが再生され、ＨＤＤ１１に記録される際の制御部８の処理を示すフローチャートである。
【０１３０】
図４の処理において、ステップＳ３１の処理は、図２に示すステップＳ１の処理と同様である。
【０１３１】
次に、ユーザが操作・表示部９を操作して、ＣＤ１０に記録された楽曲データの再生および記録指示を入力すると、制御部８は、ＣＤ再生部１に再生指令を与えるとともに、ＨＤＤ記録再生部７に記録指令を与える（ステップＳ３２）。これにより、ＣＤ１０から楽曲データが再生され、ＤＳＰ２、ＤＡＣ４およびＡＭＰ５を介してスピーカ６から出力されるとともに、ＤＳＰ２、ＨＤＤ記録・再生部７を介してＨＤＤ１１に記録されることになる。
【０１３２】
次いで、制御部８は、ＨＤＤ記録再生部７を介して情報データベースを参照し、取得した第１ＴＯＣ情報に関連付けられた識別情報を取得する（ステップＳ３３）。なお、ここでの第１ＴＯＣ情報および識別情報は、ＣＤ１０から最初に再生される楽曲データに対応するものである。
【０１３３】
次に、制御部８は、取得した識別情報が、複数あるか否かを判断する（ステップＳ３４）。その判断結果、識別情報が複数ない場合には、ステップＳ４０に移行する。一方、識別情報が複数ある場合には、制御部８は、ＣＤ１０に記録された楽曲データの数（ＣＤ収録曲）を計数する（ステップＳ３５）。例えば、ステップＳ３１で取得した第１ＴＯＣ情報に基づき、楽曲データの数を計数する。
【０１３４】
次に、制御部８は、計数された楽曲データの数が、所定数、例えば、４曲以下であるか否かを判断する（ステップＳ３６）。なお、４曲という楽曲データの数は、一例であって、１曲から３曲の間の何れか数であってもよいし、５曲から９曲までの何れかの所定数であってもよい。つまり、ここで楽曲データの数が所定数以下であるかを判断するのは、楽曲データに識別情報を自動的に付与する（例えば、複数の識別情報のうちから最も確率の高い１つの識別情報を付与する）場合、ＣＤ１０に記録されている楽曲データの数が多いときよりも少ないときの方が、誤った識別情報が楽曲データに付与される確率が高くなるため、楽曲の数が少ないときには、識別情報の選択をユーザに委ねさせるためである。また、楽曲データの数が少ないとは、上記自動的な識別情報の付与に、どこまでの精度を持たせるかどうかの問題に関わるので、４曲を少ないとする場合もあるし、３曲を少ないとする場合もある。
【０１３５】
そして、ステップＳ３６における判断結果、計数された楽曲データの数が４曲以下である場合には、制御部８は、操作・表示部９の表示器上に、上記取得された複数の識別情報を表示させ（ステップＳ３７）、これらのうちから１つの識別情報の選択をユーザに促す。そして、ユーザが操作・表示部９における所定の操作ボタンを押下し何れか１つの識別情報を選択すると、制御部８は、その選択された１つの識別情報を決定する（ステップＳ３８）。一方、ステップＳ３６における判断結果、計数された楽曲データの数が４曲より大きい場合には、制御部８は、上述したように、取得された複数の識別情報のうちから最も確率の高い１つの識別情報を決定する（ステップＳ３９）。
【０１３６】
ステップＳ４０では、制御部８は、上記ステップＳ３８またはＳ３９にて決定された１つの識別情報をＨＤＤ１１に記録されるべき楽曲データに対応付けて記憶する。また、ステップＳ３４の判断結果、識別情報が複数ない場合には、ステップＳ３３にて取得された１つの識別情報がＨＤＤ１１に記録されるべき楽曲データに対応付けて記憶されることになる。
【０１３７】
なお、ステップＳ４１以降の処理は、第１実施形態におけるステップＳ１１以降の処理と同様であるので説明を省略する。
【０１３８】
以上説明したように、第３実施形態によれば、楽曲データに識別情報（例えば、タイトル）が自動的に付与される（例えば、複数の識別情報のうちから最も確率の高い１つの識別情報を付与する）場合、ＣＤ１０に記録されている楽曲データの数が多いときよりも少ないときの方が、誤った識別情報が楽曲データに付与される確率が高くなるため、楽曲データの数が少ないときには、どの識別情報を付与するかの選択をユーザに委ねさせ、ＴＯＣ情報に基づく識別情報の検索を効果的に補うことができる。従って、誤った識別情報が楽曲データに付与されることを防止することができる。また、識別情報が自動的に付与される利便性と、識別情報が正確に付与される正確性とを両立させることができる。
【０１３９】
（第４実施形態）
第４実施形態でも、第３実施形態と同様、第１記録媒体に記録されたプログラム情報が第２記録媒体に記録される際に、管理情報に基づき、当該プログラム情報に対して付与すべき識別情報（例えば、タイトル）が検索される場合において、その検索結果が効果的に補われるという特徴のある処理について説明する。
【０１４０】
第４実施形態にかかるオーディオシステムの構成についても、第１実施形態と同様、図１に示す構成になっている。従って、これら構成要素のうち、第１実施形態と同一の機能を有する構成要素についての説明を省略する。
【０１４１】
第４実施形態においては、第１実施形態と同様に、制御部８が、第１管理情報取得手段および情報計数手段として機能する。また、第４実施形態においては、第３実施形態と同様に、制御部８が、識別情報取得手段および識別情報記憶手段としての機能を有する。
【０１４２】
さらに、第４実施形態においては、制御部８が、テキスト情報取得手段、識別情報有無判断手段、第３識別情報決定手段および第４識別情報決定手段としての機能を有する。
【０１４３】
具体的には、制御部８は、テキスト情報取得手段として機能し、楽曲データに対応するテキスト情報をＣＤ１０から取得可能か否かを判断し、取得可能である場合には、当該テキスト情報を取得する。また、制御部８は、識別情報有無判断手段として機能し、上記識別情報が複数取得され、かつ、上記テキスト情報が取得された場合には、上記取得された識別情報のうち何れか１つの識別情報が上記テキスト情報に含まれているか否かを判断する。また、制御部８は、第３識別情報決定手段として機能し、上記何れか１つの識別情報が上記テキスト情報に含まれている場合には、当該１つの識別情報を決定する。また、制御部８は、第４識別情報決定手段として機能し、上記何れか１つの識別情報が上記テキスト情報に含まれていない場合、または、上記テキスト情報が取得可能でない場合には、上記取得された複数の識別情報のうちから１つの識別情報の選択をユーザに促し、当該ユーザにより選択された１つの識別情報を決定する。
【０１４４】
図５は、第４実施形態において、ＣＤ１０に記録された楽曲データが再生され、ＨＤＤ１１に記録される際の制御部８の処理を示すフローチャートである。
【０１４５】
図５の処理において、ステップＳ５１からＳ５３の処理は、図４に示すステップＳ３１からＳ３３の処理と同様である。
【０１４６】
次に、制御部８は、取得した識別情報が、複数あるか否かを判断する（ステップＳ５４）。その判断結果、識別情報が複数ない場合には、ステップＳ６０に移行する。一方、識別情報が複数ある場合には、制御部８は、楽曲データに対応するテキスト情報をＣＤ１０から取得可能か否かを判断（つまり、ＣＤ１０にプロテクトがかかっているか否かを判断）し（ステップＳ５５）、取得可能である場合には、ＣＤ再生部１を介して当該テキスト情報を取得し、ステップＳ５６に移行する。一方、テキスト情報を取得可能でない場合には、ステップＳ５８に移行する。
【０１４７】
ステップＳ５６では、制御部８は、上記複数取得した識別情報のうち何れか１つの識別情報が上記テキスト情報に含まれているか否かを判断し、含まれている場合には、当該１つの識別情報を決定する（ステップＳ５７）。つまり、複数の識別情報の中にテキスト情報と一致するものが含まれていた場合には、これを楽曲データに付与する識別情報とするのである。一方、一致するものが含まれていない場合には、ステップＳ５８に移行される。
【０１４８】
ステップＳ５８では、制御部８は、操作・表示部９の表示器上に、上記取得された複数の識別情報を表示させ、これらのうちから１つの識別情報の選択をユーザに促す。そして、ユーザが操作・表示部９における所定の操作ボタンを押下し何れか１つの識別情報を選択すると、制御部８は、その選択された１つの識別情報を決定する（ステップＳ５９）。
【０１４９】
次に、制御部８は、上記ステップＳ５７またはＳ５９にて決定された１つの識別情報をＨＤＤ１１に記録されるべき楽曲データに対応付けて記憶する（ステップＳ６０）。つまり、楽曲データに、識別情報が付与されることになる。また、ステップＳ５４の判断結果、識別情報が複数ない場合には、ステップＳ５３にて取得された１つの識別情報がＨＤＤ１１に記録されるべき楽曲データに対応付けて記憶されることになる。
【０１５０】
なお、ステップＳ６１以降の処理は、第１実施形態におけるステップＳ１１以降の処理と同様であるので説明を省略する。
【０１５１】
以上説明したように、第４実施形態によれば、ＴＯＣ情報に基づき、取得された複数の識別情報のうち何れか１つの識別情報が、取得されたテキスト情報に含まれている場合には、当該１つの識別情報が楽曲データに付与されるので、ＴＯＣ情報に基づく識別情報の検索を効果的に補うことができる。従って、誤った識別情報が楽曲データに付与されることを防止することができる。
【０１５２】
なお、上記第４実施形態において、第３実施形態の一部処理を併用し、制御部８は、楽曲データの数が所定数以下、例えば、４曲以下の場合にのみ、取得された識別情報のうち何れか１つの識別情報が取得されたテキスト情報に含まれているか否かを判断するように構成してもよい。このような構成の場合、上記ステップＳ５４による判断結果、識別情報が複数ある場合には、制御部８は、ＣＤ１０に記録された楽曲データの数（ＣＤ収録曲）を計数し、次いで、計数された楽曲データの数が４曲以下であるか否かを判断し、計数された楽曲データの数が４曲以下である場合には、ステップＳ５５に移行する。一方、計数された楽曲データの数が４曲以下でない場合には、取得された複数の識別情報のうちから最も確率の高い１つの識別情報を決定する。
【０１５３】
このような構成によれば、ＣＤ１０に記録されている楽曲データの数が多いときよりも少ないときの方が、第１ＴＯＣ情報に対応する楽曲データがＨＤＤ１１に記録されていると誤って判断される確率が高くなるため、楽曲データの数が所定数以下と少ないときに限り、取得された識別情報のうち何れか１つの識別情報が取得されたテキスト情報に含まれているか否かを判断することで、ＴＯＣ情報に基づく識別情報の検索をより効率良く補うことができる。
【０１５４】
（第５実施形態）
第５実施形態でも、第３実施形態と同様、第１記録媒体に記録されたプログラム情報が第２記録媒体に記録される際に、管理情報に基づき、当該プログラム情報に対して付与すべき識別情報（例えば、タイトル）が検索される場合において、その検索結果が効果的に補われるという特徴のある処理について説明する。
【０１５５】
第５実施形態にかかるオーディオシステムの構成についても、第１実施形態と同様、図１に示す構成になっている。従って、これら構成要素のうち、第１実施形態と同一の機能を有する構成要素についての説明を省略する。
【０１５６】
第５実施形態においては、ＨＤＤ１１には、ユーザにより予め入力された楽曲データに対応する識別情報（以下、「ユーザ入力情報」という）が登録されたユーザ入力情報データベースが論理的に構築されている。このユーザ入力情報は、ユーザが操作・表示部９における所定の操作ボタンを操作することによりユーザ入力情報データベースに登録される。
【０１５７】
また、第５実施形態においては、第１実施形態と同様に、制御部８が、第１管理情報取得手段および情報計数手段として機能する。また、第５実施形態においては、第３実施形態と同様に、制御部８が、識別情報取得手段および識別情報記憶手段としての機能を有する。
【０１５８】
さらに、第５実施形態においては、制御部８が、ユーザ登録判断手段、第５識別情報決定手段および第６識別情報決定手段としての機能を有する。
【０１５９】
具体的には、制御部８は、ユーザ登録判断手段として機能し、上記識別情報が複数取得された場合には、ＨＤＤ記録再生部７を介してＨＤＤ１１におけるユーザ入力情報データベースを参照し、上記取得された識別情報のうち何れか１つの識別情報が、ユーザ入力情報データベースに登録されているか否かを判断する。また、制御部８は、第５識別情報決定手段として機能し、上記何れか１つの識別情報がユーザ入力情報データベースに登録されている場合には、当該１つの識別情報を決定する。また、制御部８は、第６識別情報決定手段として機能し、上記何れか１つの識別情報が上記ユーザ入力情報データベースに登録されていない場合には、取得された複数の識別情報のうちから１つの識別情報の選択をユーザに促し、当該ユーザにより選択された１つの識別情報を決定する。
【０１６０】
図６は、第５実施形態において、ＣＤ１０に記録された楽曲データが再生され、ＨＤＤ１１に記録される際の制御部８の処理を示すフローチャートである。
【０１６１】
図６の処理において、ステップＳ７１からＳ７３の処理は、図４に示すステップＳ３１からＳ３３の処理と同様である。
【０１６２】
次に、制御部８は、取得した識別情報が、複数あるか否かを判断する（ステップＳ７４）。その判断結果、識別情報が複数ない場合には、ステップＳ８０に移行する。一方、識別情報が複数ある場合には、制御部８は、ＨＤＤ記録再生部７を介してＨＤＤ１１におけるユーザ入力情報データベースを参照し、ユーザ入力情報が登録されているか否か判断する（ステップＳ７５）。ユーザ入力情報が登録されている場合には、制御部８は、上記取得された識別情報の中にユーザ登録情報と一致するものがあるか否かを判断する（ステップＳ７６）。その判断結果、上記何れか１つの識別情報がユーザ入力情報データベースに登録されている場合には、当該１つの識別情報を決定する（ステップＳ７７）。つまり、複数の識別情報の中にユーザ入力情報と一致するものが含まれていた場合には、これを楽曲データに付与する識別情報とするのである。
【０１６３】
一方、上記何れか１つの識別情報がユーザ入力情報データベースに登録されていない場合には、制御部８は、操作・表示部９の表示器上に、上記取得された複数の識別情報を表示させ、これらのうちから１つの識別情報の選択をユーザに促す（ステップＳ７８）。そして、ユーザが操作・表示部９における所定の操作ボタンを押下し何れか１つの識別情報を選択すると、制御部８は、その選択された１つの識別情報を決定する（ステップＳ７９）。
【０１６４】
次に、制御部８は、上記ステップＳ７７またはＳ７９にて決定された１つの識別情報をＨＤＤ１１に記録されるべき楽曲データに対応付けて記憶する（ステップＳ８０）。つまり、楽曲データに、識別情報が付与されることになる。また、ステップＳ７４の判断結果、識別情報が複数ない場合には、ステップＳ７３にて取得された１つの識別情報がＨＤＤ１１に記録されるべき楽曲データに対応付けて記憶されることになる。
【０１６５】
なお、ステップＳ８１以降の処理は、第１実施形態におけるステップＳ１１以降の処理と同様であるので説明を省略する。
【０１６６】
以上説明したように、第５実施形態によれば、ＴＯＣ情報に基づき、取得された複数の識別情報のうち何れか１つの識別情報が、ユーザ入力情報データベースに登録されている場合には、当該１つの識別情報が楽曲データに付与されるので、ＴＯＣ情報に基づく識別情報の検索を効果的に補うことができる。従って、誤った識別情報が楽曲データに付与されることを防止することができる。
【０１６７】
なお、上記第５実施形態において、第３実施形態の一部処理を併用し、制御部８は、楽曲データの数が所定数以下、例えば、４曲以下の場合にのみ、取得された識別情報のうち何れか１つの識別情報がユーザ入力情報データベースに登録されているか否かを判断するように構成してもよい。このような構成の場合、上記ステップＳ７４による判断結果、識別情報が複数ある場合には、制御部８は、ＣＤ１０に記録された楽曲データの数（ＣＤ収録曲）を計数し、次いで、計数された楽曲データの数が４曲以下であるか否かを判断し、計数された楽曲データの数が４曲以下である場合には、ステップＳ７５に移行する。一方、計数された楽曲データの数が４曲以下でない場合には、取得された複数の識別情報のうちから最も確率の高い１つの識別情報を決定する。
【０１６８】
このような構成によれば、ＣＤ１０に記録されている楽曲データの数が多いときよりも少ないときの方が、第１ＴＯＣ情報に対応する楽曲データがＨＤＤ１１に記録されていると誤って判断される確率が高くなるため、楽曲データの数が所定数以下と少ないときに限り、当該識別情報がユーザ入力情報データベースに登録されているか否かを判断することでＴＯＣ情報に基づく識別情報の検索をより効率良く補うことができる。
【０１６９】
（第６実施形態）
第６実施形態は、第４実施形態および第５実施形態を組み合わせ、第１記録媒体に記録されたプログラム情報が第２記録媒体に記録される際に、管理情報に基づき、当該プログラム情報に対して付与すべき識別情報（例えば、タイトル）が検索される場合において、その検索結果が効果的に補われるという特徴のある処理について説明する。
【０１７０】
第６実施形態にかかるオーディオシステムの構成についても、第１実施形態と同様、図１に示す構成になっている。従って、これら構成要素のうち、第１実施形態と同一の機能を有する構成要素についての説明を省略する。
【０１７１】
図７は、第６実施形態において、ＣＤ１０に記録された楽曲データが再生され、ＨＤＤ１１に記録される際の制御部８の処理を示すフローチャートである。
【０１７２】
図７の処理において、ステップＳ９４の処理前に、図４に示すステップＳ３１からＳ３３の処理と同様の処理を行うが、ここでは省略している。次に、制御部８は、取得した識別情報が、複数あるか否かを判断する（ステップＳ９４）。その判断結果、識別情報が複数ない場合には、ステップＳ１０３に移行する。一方、識別情報が複数ある場合には、第４実施形態と同様、制御部８は、楽曲データに対応するテキスト情報をＣＤ１０から取得可能か否かを判断し（ステップＳ９５）、取得可能である場合には、ＣＤ再生部１を介して当該テキスト情報を取得し、ステップＳ９６に移行する。一方、テキスト情報を取得可能でない場合には、ステップＳ９９に移行する。
【０１７３】
ステップＳ９６では、制御部８は、上記複数取得した識別情報のうち何れか１つの識別情報が上記テキスト情報に含まれているか否かを判断し、含まれている場合には、当該１つの識別情報を決定する（ステップＳ９８）。一方、一致するものが含まれていない場合には、ステップＳ９９に移行される。
【０１７４】
ステップＳ９９では、第５実施形態と同様、制御部８は、ＨＤＤ記録再生部７を介してＨＤＤ１１におけるユーザ入力情報データベースを参照し、ユーザ入力情報が登録されているか否か判断する。ユーザ入力情報が登録されている場合には、制御部８は、上記取得された識別情報の中にユーザ登録情報と一致するものがあるか否かを判断する（ステップＳ１００）。その判断結果、上記何れか１つの識別情報がユーザ入力情報データベースに登録されている場合には、当該１つの識別情報を決定する（ステップＳ９８）。一方、上記何れか１つの識別情報がユーザ入力情報データベースに登録されていない場合には、制御部８は、操作・表示部９の表示器上に、上記取得された複数の識別情報を表示させ、これらのうちから１つの識別情報の選択をユーザに促す（ステップＳ１０１）。そして、ユーザが操作・表示部９における所定の操作ボタンを押下し何れか１つの識別情報を選択すると、制御部８は、その選択された１つの識別情報を決定する（ステップＳ１０２）。
【０１７５】
次に、制御部８は、上記ステップＳ９８またはＳ１０２にて決定された１つの識別情報をＨＤＤ１１に記録されるべき楽曲データに対応付けて記憶する（ステップＳ１０３）。図示を省略するが、その後、第４実施形態におけるステップＳ６１以降と同様に処理を行うことになる。
【０１７６】
以上説明したように、第６実施形態によれば、第４および第５実施形態を組み合わせることで、より一層、ＴＯＣ情報に基づく識別情報の検索を効果的に補うことができる。
【０１７７】
なお、上記第６実施形態において、ステップＳ９５およびＳ９６の判断（テキスト情報をＣＤ１０から取得可能か否かの判断等）を、ステップＳ９９およびＳ１００の判断（ユーザ入力情報が登録されているか否かの判断等）よりも優先させたが、ステップＳ９９およびＳ１００の判断を優先させるように構成してもよい。つまり、ステップＳ９５およびＳ９６の判断と、ステップＳ９９およびＳ１００の判断とを入れ替えるように構成してもよい。
【０１７８】
また、上記第６実施形態において、第４および５実施形態と同様、第３実施形態の一部処理を併用し、制御部８は、楽曲データの数が所定数以下、例えば、４曲以下の場合にのみ、ステップＳ９５以降の処理を行うように構成してもよい。このような構成の場合、上記ステップＳ９４による判断結果、識別情報が複数ある場合には、制御部８は、ＣＤ１０に記録された楽曲データの数（ＣＤ収録曲）を計数し、次いで、計数された楽曲データの数が４曲以下であるか否かを判断し、計数された楽曲データの数が４曲以下である場合には、ステップＳ９５に移行する。一方、計数された楽曲データの数が４曲以下でない場合には、取得された複数の識別情報のうちから最も確率の高い１つの識別情報を決定する。
【０１７９】
なお、上記第１および第２実施形態においても、第３実施形態の一部を適用するように構成してもよい。即ち、第１実施形態における図２に示すステップＳ４において、一致するものがあった場合に、制御部８は、ＣＤ１０に記録された楽曲データの数（ＣＤ収録曲）を計数し、次いで、計数された楽曲データの数が所定数、例えば、４曲以下であるか否かを判断し、計数された楽曲データの数が４曲以下である場合には、ステップＳ５に移行し、ＣＤ１０に記録された第１ＴＯＣ情報に対応する楽曲データと、ＨＤＤ１１に記録された第２ＴＯＣ情報に対応する楽曲データとを交互に再生させるように、ＣＤ再生部１およびＨＤＤ記録再生部７に対して再生指令を与える。一方、計数された楽曲データの数が４曲以下でない場合には、制御部８は、ステップＳ８に移行し、ＣＤ再生部１に対して、通常の楽曲データの再生指令を与えるように構成する。つまり、ＣＤ１０に記録されている楽曲データの数が多いときよりも少ないときの方が、誤って第２ＴＯＣ情報の中に、第１ＴＯＣ情報と一致するものがあると判断される確率が高くなるため、楽曲の数が少ないときには、ＣＤ１０に記録された楽曲データをＨＤＤ１１に記録するかどうかの選択をユーザに促すのである。
【０１８０】
同様に、第２実施形態の変形例において、ステップＳ２４で第２ＴＯＣ情報の中に、第１ＴＯＣ情報と一致するものがあった場合には、制御部８は、ＣＤ１０に記録された楽曲データの数（ＣＤ収録曲）を計数し、次いで、計数された楽曲データの数が４曲以下であるか否かを判断し、計数された楽曲データの数が所定数、例えば、４曲以下である場合に、ＣＤ１０に記録された第１ＴＯＣ情報に対応する楽曲データと、ＨＤＤ１１に記録された第２ＴＯＣ情報に対応する楽曲データとを交互に再生させるように、ＣＤ再生部１およびＨＤＤ記録再生部７に対して再生指令を与えるように構成する。つまり、ＣＤ１０に記録されている楽曲データの数が多いときよりも少ないときの方が、誤って第２ＴＯＣ情報の中に、第１ＴＯＣ情報と一致するものがあると判断される確率が高くなるため、楽曲の数が少ないときには、ＨＤＤ１１に記録された上記第２ＴＯＣ情報に対応する楽曲データを消去するかどうかの選択をユーザに促すのである。
【０１８１】
また、上記第１実施形態においては、制御部８の情報記録制御手段により行われる所定の記録条件を満足するか否かの判断の一例として、ＣＤ１０に記録された第１ＴＯＣ情報に対応する楽曲データをＨＤＤ１１に記録させるか否かの選択をユーザに促し、その選択結果に基づいて、当該記録条件を満足するか否か判断するように構成したが、別の例として、第１ＴＯＣ情報に対応する楽曲データと、第２ＴＯＣ情報に対応する楽曲データとのデータ比較（例えば、周波数解析を行い、それぞれの波形データを比較する）を行い、その比較結果に基づいて、上記記録条件を満足するか否かを判断するように構成してもよい。例えば、第１ＴＯＣ情報に対応する楽曲データと、第２ＴＯＣ情報に対応する楽曲データが一致する場合若しくは、第１ＴＯＣ情報に対応する楽曲データを中心とする一定の許容範囲内に第２ＴＯＣ情報に対応する楽曲データが入った場合に、記録条件を満足すると判断する。なお、上記と同様、かかる判断を、計数された楽曲データの数が所定数、例えば、４曲以下である場合にのみ行うように構成してもよい。
【０１８２】
また、上記第２実施形態の変形例においても、ステップＳ２４で第２ＴＯＣ情報の中に、第１ＴＯＣ情報と一致するものがあった場合には、ユーザに選択を促す代わりに、第１ＴＯＣ情報に対応する楽曲データと、第２ＴＯＣ情報に対応する楽曲データとのデータ比較（例えば、周波数解析を行い、それぞれの波形データを比較する）を行い、その比較結果に基づいて（例えば、第１ＴＯＣ情報に対応する楽曲データと、第２ＴＯＣ情報に対応する楽曲データが一致する場合若しくは、第１ＴＯＣ情報に対応する楽曲データを中心とする一定の許容範囲内に第２ＴＯＣ情報に対応する楽曲データが入った場合に）、ＨＤＤ１１に記録された楽曲データを消去し、ＣＤ１０に記録された第１ＴＯＣ情報に対応する楽曲データをＨＤＤ１１に記録させるべくＣＤ再生部１およびＨＤＤ記録再生部７を制御するように構成してもよい。なお、上記と同様、かかるデータ比較を、計数された楽曲データの数が所定数、例えば、４曲以下である場合にのみ行うように構成してもよい。
【０１８３】
なお、上記実施形態においては、楽曲データをそのままＨＤＤ１１に記録するように構成したが、例えば、ＭＰ３、ＡＴＲＡＣ３等のフォーマットで圧縮したり、著作権保護のための音声データの暗号化を行ってから音声データをＨＤＤ１１に記録するように構成してもよい。
【０１８４】
また、上記実施形態においては、デジタル形式での記録処理の例を示したが、Ａ／Ｄ変換器等を追加し、アナログ形式での記録処理に適用してもよい。
【０１８５】
また、上記実施形態においては、一つの制御部８によりＣＤ再生部１の再生動作とＨＤＤ記録・再生部７の記録再生動作を制御することについて説明したが、ＣＤ再生部１の再生動作とＨＤＤ記録・再生部７の記録再生動作の各々を独立して制御する制御部を二つ設けてもよい。この場合には、各々の制御部が互いに同期をとりながらＣＤ再生部１の再生動作とＨＤＤ記録・再生部７の記録再生動作を制御することになる。
【０１８６】
【発明の効果】
以上説明したように、本発明によれば、プログラム情報に対応する管理情報を利用して種々の情報を検索する場合に、それをより効果的に補うことができる。
【図面の簡単な説明】
【図１】本実施形態におけるオーディオシステムの概要ブロック例である。
【図２】第１実施形態において、ＣＤ１０に記録された楽曲データが再生され、ＨＤＤ１１に記録される際の制御部８の処理を示すフローチャートである。
【図３】第２実施形態において、ＣＤ１０に記録された楽曲データが再生され、ＨＤＤ１１に記録される際の制御部８の処理を示すフローチャートである。
【図４】第３実施形態において、ＣＤ１０に記録された楽曲データが再生され、ＨＤＤ１１に記録される際の制御部８の処理を示すフローチャートである。
【図５】第４実施形態において、ＣＤ１０に記録された楽曲データが再生され、ＨＤＤ１１に記録される際の制御部８の処理を示すフローチャートである。
【図６】第５実施形態において、ＣＤ１０に記録された楽曲データが再生され、ＨＤＤ１１に記録される際の制御部８の処理を示すフローチャートである。
【図７】第６実施形態において、ＣＤ１０に記録された楽曲データが再生され、ＨＤＤ１１に記録される際の制御部８の処理を示すフローチャートである。
【符号の説明】
１　ＣＤ再生部
２　ＤＳＰ
４　ＤＡＣ
５　ＡＭＰ
６　スピーカ
７　ＨＤＤ記録再生部
８　制御部
９　操作／表示部
１０　ＣＤ
１１　ＨＤＤ
１００　オーディオシステム
【図１】
2004014084.tif 000003
【図２】
2004014084.tif 000004
【図３】
2004014084.tif 000005
【図４】
2004014084.tif 000006
【図５】
2004014084.tif 000007
【図６】
2004014084.tif 000008
【図７】
2004014084.tif 000009